(57)【要約】【課題】ブルーライトを発生させるディスプレイを視認する者の、視覚を通じた体内リズム等を良好に維持／調整することが可能な画像処理装置を提供する。【解決手段】ディスプレイ４に表示すべき画像に相当する画像情報Ｓinを取得する切換制御部３と、時刻、日、月又は季節のいずれかを示す時情報を取得する時刻取得部１０と、画像情報Ｓinにおけるいずれかの色成分に相当する輝度を、取得した時情報に基づいて制御する制御部２と、を備える。【選択図】図８
2016040601.tif 000002
【特許請求の範囲】
【請求項１】
表示手段に表示すべき画像に相当する画像情報を取得する画像情報取得手段と、
時刻、日、月又は季節のいずれかを示す時情報を取得する時情報取得手段と、
前記取得した画像情報におけるいずれかの色成分に相当する輝度を、前記取得した時情報に基づいて制御して表示用画像情報を生成し、前記表示手段に出力して表示させる処理手段と、
を備えることを特徴とする画像処理装置。
【請求項２】
請求項１に記載の画像処理装置において、
前記取得した時情報に基づいて前記処理手段は、前記取得した画像情報における青色成分に相当する前記輝度を制御して前記表示用画像情報を生成することを特徴とする画像処理装置。
【請求項３】
請求項２に記載の画像処理装置において、
前記取得した時情報に基づいて前記処理手段は、前記青色成分に相当する前記輝度につき、前記表示用画像情報に相当して前記表示手段に表示される前記画像を視認する者の活動時間における当該輝度が、当該活動時間以外の時間における当該輝度に対して相対的に高くなるように制御して前記表示用画像情報を生成することを特徴とする画像処理装置。
【請求項４】
請求項１から請求項３のいずれか一項に記載の画像処理装置において、
前記処理手段は、前記取得した時情報により示される日の出の時刻又は日の入りの時刻の少なくともいずれか一方に基づき、前記輝度を制御して前記表示用画像情報を生成することを特徴とする画像処理装置。
【請求項５】
請求項１から請求項４のいずれか一項に記載の画像処理装置において、
前記処理手段における前記輝度の制御態様を指定するために用いられる指定手段を更に備え、
前記処理手段は、前記取得した時情報と、前記指定された制御態様と、に基づいて前記輝度を制御して前記表示用画像情報を生成することを特徴とする画像処理装置。
【請求項６】
請求項５に記載の画像処理装置において、
前記制御態様を指定する場合において前記表示手段は、制御対象たる前記輝度の時間変化に相当するグラフを表示し、
前記制御態様を指定する場合において前記指定手段は、前記表示されているグラフの一部又は全部の形状を変更して前記制御態様を指定するために用いられ、
前記処理手段は、前記取得した時情報と、前記グラフを用いて指定された制御態様と、に基づいて前記輝度を制御して前記表示用画像情報を生成することを特徴とする画像処理装置。
【請求項７】
請求項１から請求項６のいずれか一項に記載の画像処理装置において、
前記表示手段の位置を示す位置情報を取得する位置情報取得手段を更に備え、
前記時情報取得手段は、前記取得された位置情報により示される前記位置に対応した前記時情報を取得することを特徴とする画像処理装置。
【請求項８】
請求項１に記載の画像処理装置において、
前記表示された画像を視る者の年齢に対応した年齢対応情報を取得する年齢対応情報取得手段を更に備え、
前記処理手段は、前記画像における青色成分に相当する輝度を前記取得した年齢対応情報に基づいて低減しつつ、当該年齢対応情報に基づいて当該画像情報から表示用画像情報を生成し、前記表示手段に出力して表示させることを特徴とする画像処理装置。
【請求項９】
請求項８に記載の画像処理装置において、
前記処理手段は、（ｉ）前記取得した年齢対応情報に基づいて前記輝度を低減する低減処理、（ii）前記取得した年齢対応情報に基づいて前記画像におけるコントラストを補正するコントラスト補正処理、及び、（iii）前記取得した年齢対応情報に基づいて前記画像における色を補正する色補正処理、
のうち、前記低減処理を含むいずれかの処理を、前記取得した画像情報に対して実行して前記表示用画像情報を生成することを特徴とする画像処理装置。
【請求項１０】
請求項９に記載の画像処理装置において、
前記取得した年齢対応情報に対応する前記年齢が、子供又は成人を示すものとして予め設定された年齢閾値以下の年齢である場合に、前記処理手段は、前記輝度の低減が前記年齢閾値に対応して予め設定された低減閾値以上である前記低減処理、及び、前記コントラストの補正が前記年齢閾値に対応して予め設定された補正閾値以下である前記コントラスト補正処理、を実行することを特徴とする画像処理装置。
【請求項１１】
請求項９に記載の画像処理装置において、
前記取得した年齢対応情報に対応する前記年齢が、成人を示すものとして予め設定された年齢幅閾値内の年齢である場合に、前記処理手段は、前記輝度の低減が前記年齢幅閾値に対応して予め設定された低減閾値以上である前記低減処理、前記コントラストの補正が前記年齢幅閾値に対応して予め設定された補正閾値以上である前記コントラスト補正処理、及び、前記年齢幅閾値に対応して前記画像全体の輝度を下げる輝度補正処理、を実行することを特徴とする画像処理装置。
【請求項１２】
請求項９に記載の画像処理装置において、
前記者が、高齢者を示すものとして予め設定された年齢閾値以上の年齢の者であり、且つ当該者が予め設定された眼の病気に罹っていることが、前記取得した年齢対応情報により示されている場合に、前記処理手段は、前記輝度の低減が予め設定された低減閾値以下である前記低減処理、前記コントラストの補正が予め設定された補正閾値以上である前記コントラスト補正処理、及び、前記取得した年齢対応情報に基づいて前記色を補正する前記色補正処理、を実行することを特徴とする画像処理装置。
【請求項１３】
請求項８から請求項１２のいずれか一項に記載の画像処理装置において、
前記年齢対応情報取得手段により新たな前記年齢対応情報が取得されたとき、前記処理手段は当該新たな年齢対応情報に基づいて、前記低減処理を含むいずれかの処理を、前記取得した画像情報に対して実行して前記表示用画像情報を生成することを特徴とする画像処理装置。
【請求項１４】
請求項１から請求項１３のいずれか一項に記載の画像処理装置において、
前記色成分が、ＲＧＢ（Red Green Blue）色空間におけるいずれかの色成分、又は、色相及び彩度を含む三つの要素からなる色空間における前記色相内のいずれかの色成分、のいずれかであることを特徴とする画像処理装置。
【請求項１５】
請求項１から請求項１４のいずれか一項に記載の画像処理装置と、
前記表示用画像情報を取得して、当該表示用画像情報に相当する画像を表示する前記表示手段と、
を備えることを特徴とする表示装置。
【請求項１６】
表示手段に接続される画像処理装置において実行される画像処理方法において、
前記表示手段に表示すべき画像に相当する画像情報を取得する画像情報取得工程と、
時刻、日、月又は季節のいずれかを示す時情報を取得する時情報取得工程と、
前記取得した画像情報におけるいずれかの色成分に相当する輝度を、前記取得した時情報に基づいて制御して表示用画像情報を生成し、前記表示手段に出力して表示させる処理工程と、
を含むことを特徴とする画像処理方法。
【請求項１７】
表示手段に接続される画像処理装置に含まれるコンピュータを、
前記表示手段に表示すべき画像に相当する画像情報を取得する画像情報取得手段、
時刻、日、月又は季節のいずれかを示す時情報を取得する時情報取得手段、及び、
前記取得した画像情報におけるいずれかの色成分に相当する輝度を、前記取得した時情報に基づいて制御して表示用画像情報を生成し、前記表示手段に出力して表示させる処理手段、
として機能させることを特徴とする画像処理用プログラム。
【発明の詳細な説明】
【技術分野】
【０００１】
本発明は、画像処理装置、表示装置並びに画像処理方法及び画像処理用プログラムの技術分野に属する。より詳細には、表示される画像を視るユーザの眼を保護するための画像処理装置、表示装置並びに画像処理方法、及び当該画像処理装置用のプログラムの技術分野に属する。
【背景技術】
【０００２】
近年、パーソナルコンピュータやタブレット型端末装置のディスプレイでは、そのバックライトとしてＬＥＤ（Light Emitting Diode）が積極的に採用されている。このＬＥＤは可視光線における青色領域の光を強く発しており、それらはエネルギーが強いため、ユーザの眼の網膜等の損傷の原因になると言われている。この問題を改善するために、疲労感の低減及び眼病予防に効果的な光学部品が提案されている。このような防眩効果を有し、疲労感の低減、眼病予防にも効果的で、且つ視認性が良好な光学部品を開示する特許文献として、下記特許文献１が挙げられる。
【０００３】
この特許文献１に開示されている光学部品では、特定波長の光（以下、単に「ブルーライト」と称し、その波長は４００ナノメートル〜５００ナノメートル程度である）を低減させることで、防眩効果、疲労感低減及び眼病予防を実現している。また当該光学部品では、それを表示装置に取り付ける（若しくは、レンズ型にした当該光学部品を眼鏡に取り付けて、そのレンズを通して視る）ことで、眼に照射されるブルーライトを低減する構成とされている。
【０００４】
一方で上記ブルーライトは、下記非特許文献１及び非特許文献２等に開示されているように、上記ＬＥＤをバックライトとする液晶ディスプレイを視認する者の体内リズムに影響するとの研究成果も報告されている。よってこの場合にブルーライトは、常に低減させるのではなく、例えば時間帯に応じて適宜そのオン／オフや、低減する場合の低減率を切り換えられるべきであると考えられる。
【先行技術文献】
【特許文献】
【０００５】
【特許文献１】特開２０１３−８０５２号公報
【非特許文献】
【０００６】
【非特許文献１】「ブルーライト  体内時計への脅威」，坪田一男著，集英社新書０７１６Ｉ，２０１３年１１月発行，ISBN978-4-08-720716-3
【非特許文献２】「Time-restricted feeding without reducing caloric intake prevents metabolic diseases in mice fed a high-fat diet.」，Megumi Hatori他，Volume 15, Issue 6, p848-860，Cell Metabolism journal, 6 June 2012
【発明の概要】
【発明が解決しようとする課題】
【０００７】
しかしながら、上記特許文献１に開示されている光学部品を用いた場合、状況に応じて頻繁にそれを取り替えることは難しいため、上記のブルーライトの低減を適宜オン／オフ制御したり、或いは低減率を可変としたりすることはできない。また、光学部品自体における低減率に関しても、その材料によって固定されるため、ユーザによって要求される低減率に応じて任意にそれを変化させることは不可能であるという問題点があった。そしてこれらの場合、上記非特許文献１及び非特許文献２に開示されている研究成果を応用して体内リズムを調整することは不可能であるという問題点があった。
【０００８】
そこで本発明は、上記の各問題点に鑑みて為されたもので、その課題の一例は、ブルーライトを発生させるディスプレイを視認する者の、視覚を通じた体内リズム等を良好に維持／調整することが可能な画像処理装置、表示装置並びに画像処理方法、及び当該画像処理装置用のプログラムを提供することにある。
【課題を解決するための手段】
【０００９】
上記の課題を解決するために、請求項１に記載の発明は、ディスプレイ等の表示手段に表示すべき画像に相当する画像情報を取得する切換制御部等の画像情報取得手段と、時刻、日、月又は季節のいずれかを示す時情報を取得する時刻取得部等の時情報取得手段と、前記取得した画像情報におけるいずれかの色成分に相当する輝度を、前記取得した時情報に基づいて制御して表示用画像情報を生成し、前記表示手段に出力して表示させる画素値更新部等の処理手段と、を備える。
【００１０】
上記の課題を解決するために、請求項１５に記載の発明は、請求項１から請求項１４のいずれか一項に記載の画像処理装置と、前記表示用画像情報を取得して、当該表示用画像情報に相当する画像を表示する前記表示手段と、を備える。
【００１１】
上記の課題を解決するために、請求項１６に記載の発明は、ディスプレイ等の表示手段に接続される画像処理装置において実行される画像処理方法において、前記表示手段に表示すべき画像に相当する画像情報を取得する画像情報取得工程と、時刻、日、月又は季節のいずれかを示す時情報を取得する時情報取得工程と、前記取得した画像情報におけるいずれかの色成分に相当する輝度を、前記取得した時情報に基づいて制御して表示用画像情報を生成し、前記表示手段に出力して表示させる処理工程と、を含む。
【００１２】
上記の課題を解決するために、請求項１７に記載の発明は、ディスプレイ等の表示手段に接続される画像処理装置に含まれるコンピュータを、前記表示手段に表示すべき画像に相当する画像情報を取得する画像情報取得手段、時刻、日、月又は季節のいずれかを示す時情報を取得する時情報取得手段、及び、前記取得した画像情報におけるいずれかの色成分に相当する輝度を、前記取得した時情報に基づいて制御して表示用画像情報を生成し、前記表示手段に出力して表示させる処理手段、として機能させる。
【００１３】
請求項１又は請求項１５乃至請求項１７のいずれか一項に記載の発明によれば、画像情報におけるいずれかの色成分に相当する輝度を時情報に基づいて制御して表示用画像情報を生成するので、表示用画像情報に相当する画像を視認する者の、視覚を通じた体内リズム等を良好に維持／調整することができる。
【００１４】
上記の課題を解決するために、請求項２に記載の発明は、請求項１に記載の画像処理装置において、前記取得した時情報に基づいて前記処理手段は、前記取得した画像情報における青色成分に相当する前記輝度を制御して前記表示用画像情報を生成するように構成される。
【００１５】
請求項２に記載の発明によれば、請求項１に記載の発明の作用に加えて、取得した画像情報における青色成分に相当する輝度を時情報に基づいて制御して表示用画像情報を生成するので、画像を視認する者の体内リズム等に影響を与え易いとされる青色成分に相当する輝度を適切に制御して、当該体内リズム等を良好に維持／調整することができる。
【００１６】
上記の課題を解決するために、請求項３に記載の発明は、請求項２に記載の画像処理装置において、前記取得した時情報に基づいて前記処理手段は、前記青色成分に相当する前記輝度につき、前記表示用画像情報に相当して前記表示手段に表示される前記画像を視認する者の活動時間における当該輝度が、当該活動時間以外の時間における当該輝度に対して相対的に高くなるように制御して前記表示用画像情報を生成するように構成される。
【００１７】
請求項３に記載の発明によれば、請求項２に記載の発明の作用に加えて、画像を視認する者の活動時間における青色成分に相当する輝度が、それ以外の時間における当該輝度よりも高くなるように制御されるので、活動時間とそれ以外の時間における体内リズムを良好に維持／調整することができる。
【００１８】
上記の課題を解決するために、請求項４に記載の発明は、請求項１から請求項３のいずれか一項に記載の画像処理装置において、前記処理手段は、前記取得した時情報により示される日の出の時刻又は日の入りの時刻の少なくともいずれか一方に基づき、前記輝度を制御して前記表示用画像情報を生成するように構成される。
【００１９】
請求項４に記載の発明によれば、請求項１から請求項３のいずれか一項に記載の発明の作用に加えて、日の出の時刻又は日の入りの時刻の少なくともいずれか一方に基づいて色成分の輝度を制御して表示用画像情報を生成するので、画像を視認する者の一日の体内リズム等の変化に合わせた色成分の画像を表示させることで、より良好に当該体内リズム等を維持／調整することができる。
【００２０】
上記の課題を解決するために、請求項５に記載の発明は、請求項１から請求項４のいずれか一項に記載の画像処理装置において、前記処理手段における前記輝度の制御態様を指定するために用いられる入力部等の指定手段を更に備え、前記処理手段は、前記取得した時情報と、前記指定された制御態様と、に基づいて前記輝度を制御して前記表示用画像情報を生成するように構成される。
【００２１】
請求項５に記載の発明によれば、請求項１から請求項４のいずれか一項に記載の発明の作用に加えて、指定手段により指定された輝度の制御態様と、時情報と、に基づいて色成分の輝度を制御して表示用画像情報を生成するので、画像を視認する者の好み等に合わせて輝度を制御でき、当該者に適合させてその体内リズム等を維持／調整することができる。
【００２２】
上記の課題を解決するために、請求項６に記載の発明は、請求項５に記載の画像処理装置において、前記制御態様を指定する場合において前記表示手段は、制御対象たる前記輝度の時間変化に相当するグラフを表示し、前記制御態様を指定する場合において前記指定手段は、前記表示されているグラフの一部又は全部の形状を変更して前記制御態様を指定するために用いられ、前記処理手段は、前記取得した時情報と、前記グラフを用いて指定された制御態様と、に基づいて前記輝度を制御して前記表示用画像情報を生成するように構成される。
【００２３】
請求項６に記載の発明によれば、請求項５に記載の発明の作用に加えて、輝度の制御態様を指定する場合において当該輝度の時間変化に相当するグラフを表示し、そのグラフの一部又は全部の形状の変更により制御態様が指定されるので、画像を視認する者の好み等に合わせて簡易に輝度を制御でき、当該者により適合させてその体内リズム等を維持／調整することができる。
【００２４】
上記の課題を解決するために、請求項７に記載の発明は、請求項１から請求項６のいずれか一項に記載の画像処理装置において、前記表示手段の位置を示す位置情報を取得する位置取得部等の位置情報取得手段を更に備え、前記時情報取得手段は、前記取得された位置情報により示される前記位置に対応した前記時情報を取得するように構成される。
【００２５】
請求項７に記載の発明によれば、請求項１から請求項６のいずれか一項に記載の発明の作用に加えて、位置情報により示される表示手段の位置に対応した時情報を取得して色成分の輝度の制御に用いるので、当該位置に適合させてより適切に体内リズム等を維持／調整することができる。
【００２６】
上記の課題を解決するために、請求項８に記載の発明は、請求項１に記載の画像処理装置において、前記表示された画像を視る者の年齢に対応した年齢対応情報を取得する年齢データ取得部等の年齢対応情報取得手段を更に備え、前記処理手段は、前記画像における青色成分に相当する輝度を前記取得した年齢対応情報に基づいて低減しつつ、当該年齢対応情報に基づいて当該画像情報から表示用画像情報を生成し、前記表示手段に出力して表示させるように構成される。
【００２７】
請求項８に記載の発明によれば、請求項１に記載の発明の作用に加えて、画像における青色成分に相当する輝度を年齢対応情報に基づいて低減しつつ、当該年齢対応情報に基づいて画像情報から表示用画像情報を生成する。よって、表示用画像情報に相当する画像を視認する者の年齢に応じた見易い状態で、且つ当該者の眼を保護しつつ、画像を表示させることができる。
【００２８】
上記の課題を解決するために、請求項９に記載の発明は、請求項８に記載の画像処理装置において、前記処理手段は、（ｉ）前記取得した年齢対応情報に基づいて前記輝度を低減する低減処理、（ii）前記取得した年齢対応情報に基づいて前記画像におけるコントラストを補正するコントラスト補正処理、及び、（iii）前記取得した年齢対応情報に基づいて前記画像における色を補正する色補正処理、のうち、前記低減処理を含むいずれかの処理を、前記取得した画像情報に対して実行して前記表示用画像情報を生成するように構成される。
【００２９】
請求項９に記載の発明によれば、請求項８に記載の発明の作用に加えて、生成手段が、低減処理、コントラスト補正処理、及び色補正処理、のうち、低減処理を含むいずれかの処理を画像情報に対して実行して表示用画像情報を生成する。よって、多面的な処理により、画像を視認する者の年齢に応じた見易い状態で、且つ当該者の眼を効果的に保護しつつ、画像を表示させることができる。
【００３０】
上記の課題を解決するために、請求項１０に記載の発明は、請求項９に記載の画像処理装置において、前記取得した年齢対応情報に対応する前記年齢が、子供又は成人を示すものとして予め設定された年齢閾値以下の年齢である場合に、前記処理手段は、前記輝度の低減が前記年齢閾値に対応して予め設定された低減閾値以上である前記低減処理、及び、前記コントラストの補正が前記年齢閾値に対応して予め設定された補正閾値以下である前記コントラスト補正処理、を実行するように構成される。
【００３１】
請求項１０に記載の発明によれば、請求項９に記載の発明の作用に加えて、年齢対応情報に対応する年齢が年齢閾値以下の年齢である場合に、輝度の低減が低減閾値以上である低減処理、及び、コントラストの補正が補正閾値以下であるコントラスト補正処理、を実行する。よって、子供又は成人の眼を保護すると共に、見易いコントラストの状態で画像を表示することができる。
【００３２】
上記の課題を解決するために、請求項１１に記載の発明は、請求項９に記載の画像処理装置において、前記取得した年齢対応情報に対応する前記年齢が、成人を示すものとして予め設定された年齢幅閾値内の年齢である場合に、前記処理手段は、前記輝度の低減が前記年齢幅閾値に対応して予め設定された低減閾値以上である前記低減処理、前記コントラストの補正が前記年齢幅閾値に対応して予め設定された補正閾値以上である前記コントラスト補正処理、及び、前記年齢幅閾値に対応して前記画像全体の輝度を下げる輝度補正処理、を実行するように構成される。
【００３３】
請求項１１に記載の発明によれば、請求項９に記載の発明の作用に加えて、年齢対応情報に対応する年齢が年齢幅閾値内の年齢である場合に、輝度の低減が低減閾値以上である低減処理、コントラストの補正が補正閾値以上であるコントラスト補正処理、及び、年齢幅閾値に対応した画像全体の輝度を下げる輝度補正処理、を実行する。よって、成人の眼を保護すると共に、見易いコントラスト及び画像輝度の状態で画像を表示することができる。
【００３４】
上記の課題を解決するために、請求項１２に記載の発明は、請求項９に記載の画像処理装置において、前記者が、高齢者を示すものとして予め設定された年齢閾値以上の年齢の者であり、且つ当該者が予め設定された眼の病気に罹っていることが、前記取得した年齢対応情報により示されている場合に、前記処理手段は、前記輝度の低減が予め設定された低減閾値以下である前記低減処理、前記コントラストの補正が予め設定された補正閾値以上である前記コントラスト補正処理、及び、前記取得した年齢対応情報に基づいて前記色を補正する前記色補正処理、を実行するように構成される。
【００３５】
請求項１２に記載の発明によれば、請求項９に記載の発明の作用に加えて、画像を視る者が既定の年齢閾値以上の高齢者であり、且つ当該者が既定の眼の病気に罹っていることが示されている場合に、輝度の低減が低減閾値以下である低減処理、コントラストの補正が補正閾値以上であるコントラスト補正処理、及び、年齢対応情報に基づいて色を補正する色補正処理、を実行する。よって、高齢者において見易い状態で画像を表示することができる。
【００３６】
上記の課題を解決するために、請求項１３に記載の発明は、請求項８から請求項１２のいずれか一項に記載の画像処理装置において、前記年齢対応情報取得手段により新たな前記年齢対応情報が取得されたとき、前記処理手段は当該新たな年齢対応情報に基づいて、前記低減処理を含むいずれかの処理を、前記取得した画像情報に対して実行して前記表示用画像情報を生成するように構成される。
【００３７】
請求項１３に記載の発明によれば、請求項８から請求項１２のいずれか一項に記載の発明の作用に加えて、新たな年齢対応情報に基づいて、低減処理を含むいずれかの処理を実行して表示用画像情報を生成するので、新たな年齢対応情報が取得できた場合にも、画像を視認する者の年齢に応じた見易い状態で、且つ当該者の眼を保護しつつ、適切に画像を表示させることができる。
【００３８】
上記の課題を解決するために、請求項１４に記載の発明は、請求項１から請求項１３のいずれか一項に記載の画像処理装置において、前記色成分が、ＲＧＢ（Red Green Blue）色空間におけるいずれかの色成分、又は、色相及び彩度を含む三つの要素からなる色空間における前記色相内のいずれかの色成分、のいずれかであるように構成される。
【００３９】
請求項１４に記載の発明によれば、請求項１から請求項１３のいずれか一項に記載の発明の作用に加えて、色成分が、ＲＧＢ色空間におけるいずれかの色成分、又は、色相及び彩度を含む三つの要素からなる色空間における色相内のいずれかの色成分、のいずれかであるので、汎用されている色空間の色成分について、表示用画像情報に相当する画像を視認する者の、視覚を通じた体内リズム等を良好に維持／調整することができる。
【発明の効果】
【００４０】
本発明によれば、画像情報におけるいずれかの色成分に相当する輝度を時情報に基づいて制御して表示用画像情報を生成して表示させる。
【００４１】
従って、表示用画像情報に相当する画像を視認する者の、視覚を通じた体内リズム等を良好に維持／調整することができる。
【図面の簡単な説明】
【００４２】
【図１】第１実施形態の原理に係る暦情報の一例示す図である。
【図２】第１実施形態の原理に係るブルーライトの一日における制御態様を例示する図（Ｉ）である。
【図３】第１実施形態の原理に係るブルーライトの一日における制御態様を例示する図（II）である。
【図４】第１実施形態の原理に係るブルーライトの一日における制御態様を例示する図（III）である。
【図５】第１実施形態の原理に係るブルーライトの一日における制御態様を例示する図（IV）である。
【図６】第１実施形態の原理に係るブルーライトの一日における制御態様を例示する図（Ｖ）である。
【図７】第１実施形態の原理に係るブルーライトの一日における制御態様を例示する図（VI）である。
【図８】第１実施形態に係る表示装置の概要構成を示すブロック図である。
【図９】第１実施形態に係る制御処理を示す図であり、（ａ）は各色の輝度に応じたブルーライトの強度の低減処理を例示する図であり、（ｂ）は実施形態に係るブルーライトの強度の増強処理を例示する図である。
【図１０】第１実施形態に係る制御処理を示すフローチャートである。
【図１１】第１実施形態に係る制御処理の具体例を示す図である。
【図１２】第１実施形態に係る制御処理における設定画面等を例示する図であり、（ａ）は当該設定画面を例示する図であり、（ｂ）は当該設定の第１例を示す図であり、（ｃ）は当該設定の第２例を示す図である。
【図１３】第１実施形態に係る制御処理における設定を例示する図（Ｉ）であり、（ａ）は当該設定の第３例を示す図であり、（ｂ）は当該設定の第４例を示す図である。
【図１４】第１実施形態に係る制御処理における設定を例示する図（II）であり、（ａ）は当該設定の第５例を示す図であり、（ｂ）は当該設定の第６例を示す図である。
【図１５】第１実施形態に係る制御処理の他の具体例を示す図であり、（ａ）は他の第１例を示す図であり、（ｂ）は他の第２例を示す図である。
【図１６】第２実施形態の原理を説明する図（Ｉ）であり、（ａ）はＨＬＳ色空間の概念を示す図であり、（ｂ）はＨＳＶ色空間の概念を示す図である。
【図１７】第２実施形態の原理を説明する図（II）であり、（ａ）はＨＬＳ色空間におけるブルーライトの強度の低減処理（Ｉ）を説明する図であり、（ｂ）はＨＬＳ色空間におけるブルーライトの強度の低減処理（II）を説明する図である。
【図１８】第２実施形態の原理を説明する図（III）であり、（ａ）はＨＳＶ色空間におけるブルーライトの強度の低減処理（Ｉ）を説明する図であり、（ｂ）はＨＳＶ色空間におけるブルーライトの強度の低減処理（II）を説明する図である。
【図１９】第２実施形態の原理を説明する図（III）であり、（ａ）はＨＬＳ色空間におけるブルーライトの強度の増強処理（Ｉ）を説明する図であり、（ｂ）はＨＬＳ色空間におけるブルーライトの増強処理（II）を説明する図である。
【図２０】第２実施形態の原理を説明する図（IV）であり、（ａ）はＨＳＶ色空間におけるブルーライトの強度の増強処理（Ｉ）を説明する図であり、（ｂ）はＨＳＶ色空間におけるブルーライトの強度の低減処理（II）を説明する図である。
【図２１】第２実施形態に係る表示装置の概要構成を示すブロック図である。
【図２２】第２実施形態に係る制御処理を示すフローチャートである。
【図２３】第３実施形態に係る表示装置の概要構成を示すブロック図である。
【図２４】第３実施形態に係るコントラストの補正処理を示す図であり、（ａ）は当該補正処理を実行しない場合を示す図であり、（ｂ）は当該補正処理を実行する場合の第一例を示す図であり、（ｃ）は当該補正処理を実行する場合の第二例を示す図であり、（ｄ）は当該補正処理を実行する場合の第三例を示す図である。
【図２５】第３実施形態に係るバックライトの輝度の時刻に対応した制御処理を示す図である。
【図２６】第３実施形態に係る制御処理を示すフローチャートである。
【発明を実施するための形態】
【００４３】
次に、本発明に係る各実施形態について説明する。
【００４４】
（Ｉ）第１実施形態
初めに、本発明に係る第１実施形態について、図１乃至図１５を用いて説明する。なお以下に説明する第１実施形態は、動画及び静止画を含む画像を表示する表示装置におけるブルーライトの強度の制御処理に対して、本発明を適用した場合の実施の形態である。
【００４５】
（Ａ）第１実施形態の原理
先ず、第１実施形態について具体的に説明する前に、第１実施形態の原理について図１乃至図７を用いて説明する。なお、図１は第１実施形態の原理に係る暦情報の一例示す図であり、図２乃至図７は第１実施形態の原理に係るブルーライトの一日における制御態様をそれぞれ例示する図である。
【００４６】
後ほど詳述するように、第１実施形態においてでは、上記ブルーライトを有害であり常に低減すべきものであるとは考えず、人が視認するディスプレイから発せられるブルーライトを、当該人の、日、月又は季節等の時間における体内リズム（生活リズム）等の変化に合わせるように、当該時間に基づいて制御する。このとき一般には、人が起きて活動している時間帯のブルーライトの強度が、当該人が就寝し又は休息している時間帯のブルーライトの強度より高くなるように、上記時間に応じて当該強度を制御する。これにより、上記のように強度が制御されるブルーライトを発するディスプレイに表示される画像等を視認する人の、その視覚を通じた体内リズム等を良好に維持又は調整する。
【００４７】
ここで第１実施形態では、上記ブルーライトの強度の制御の基準となる上記時間として、例えば図１に例示する暦情報を用いる。図１に例示する暦情報は、例えば国立天文台において公開されているものであり、地理的な位置（図１に例示する場合は東京）ごと且つその年の月ごとに、日の出の時刻、南中時刻及び日の入りの時刻のそれぞれを、参照可能に含んでいる。これにより本発明では、当該暦情報に含まれている各時刻に対応させて、ブルーライトの強度の強弱を例えば日ごとに制御する。より具体的に本発明では、上記暦情報に基づき、人が起きて活発に活動していると推定される時間帯ほどブルーライトの強度が高くなるように制御する。換言すれば、人が就寝又は休息していると推定される時間帯ほどブルーライトの強度が低くなるように制御する。
【００４８】
即ち例えば図２に例示するように、一年のうちで日照時間が短い１１月から翌年２月にかけては、上記暦情報に基づき、ブルーライトの強度を相対的に低く制御する時間帯を相対的に長くすると共に、ブルーライトの強度を低減する程度を図２に示すように時刻に応じて制御する。なお図２乃至図４においては、ブルーライトの強度の低減率が大きくなるように制御する時間帯を左下ハッチングで示し、当該低減率が中程度となるように制御する時間帯を縦横ハッチングで示し、当該低減率が小さくなるように制御する時間帯を右下ハッチングで示し、ブルーライトの強度の低減を行わない（即ち低減率を０とする）ように制御する時間帯を縦ハッチングで示している。
【００４９】
一方図２に例示する場合に対し、一年のうちで日照時間が長い５月から８月にかけては、図３に例示するように、上記暦情報に基づいて、ブルーライトの強度を相対的に低く制御する時間帯を相対的に短くすると共に、ブルーライトの強度を低減する程度を図３に示すように時刻に応じて制御する。更に、図２に例示する期間と図３に例示する期間との間にある３月、４月、９月及び１０月については、図４に例示するように、上記暦情報に基づいて、ブルーライトの強度を相対的に低く制御する時間帯を図２に例示する場合と図３に例示する場合との中間辺りとすると共に、ブルーライトの強度を低減する程度を図４に示すように時刻に応じて制御する。
【００５０】
なお上述した本発明の原理では、ブルーライトの強度を低減する場合について図２乃至図４を用いて説明したが、これ以外に、各例示したブルーライトの強度を相対的に強くする時間帯につき、制御しない場合よりも強度を敢えて増強することで、各例示した一日における強度の変化を実現してもよい。
【００５１】
より具体的に、例えば図５に例示するように、上述したように日照時間が短い１１月から翌年２月にかけては、上記暦情報に基づき、ブルーライトの強度を相対的に高く制御する時間帯を相対的に長くすると共に、ブルーライトの強度を相対的に増強する程度を図５に示すように時刻に応じて制御する。なお図５乃至図７においては、ブルーライトの強度の低減率が相対的に大きくなるように制御する時間帯をハッチングなしで示し、当該低減率が相対的に小さくなるように制御する時間帯を点ハッチングで示し、増強率を相対的に小さくしてブルーライトの強度を増強するように制御する時間帯を水平ハッチングで示し、増強率を相対的に大きくしてブルーライトの強度の増強するように制御する時間帯を縦ハッチングで示している。
【００５２】
一方図５に例示する場合に対し、上記日照時間が長い５月から８月にかけては、図６に例示するように、上記暦情報に基づいて、ブルーライトの強度を相対的に低く制御する時間帯を相対的に短くすると共に、ブルーライトの強度を増強する程度を図６に示すように時刻に応じて制御する。更に、図５に例示する期間と図６に例示する期間との間にある３月、４月、９月及び１０月については、図７に例示するように、上記暦情報に基づいて、ブルーライトの強度を相対的に低く制御する時間帯を図５に例示する場合と図６に例示する場合との中間辺りとすると共に、ブルーライトの強度を増強する程度を図７に示すように時刻に応じて制御する。
【００５３】
（Ｂ）第１実施形態
次に、上述した原理に基づく本発明に係る第１実施形態について、図８乃至図１５を用いて説明する。なお、図８は第１実施形態に係る表示装置の概要構成を示すブロック図であり、図９は第１実施形態に係る制御処理を例示する図であり、図１０は当該制御処理を示すフローチャートであり、図１１は当該制御処理の具体例を示す図である。また、図１２は第１実施形態に係る制御処理における設定画面等を例示する図であり、図１３及び図１４は当該制御処理における設定をそれぞれ例示する図であり、図１５は当該制御処理の他の具体例を示す図である。なお、以下の説明では、第１実施形態に係るブルーライトの強度の制御処理を、単に「第１実施形態に係る制御処理」と称する。
【００５４】
図８に示すように、第１実施形態に係る表示装置Ｄ１は、画像生成部１と、ＣＰＵ、ＲＯＭ（Read Only Memory）及びＲＡＭ（Random Access Memory）等により構成される制御部２と、切換制御部３と、上記ブルーライトを発生（発光）するＬＥＤであるバックライトを有する液晶ディスプレイ等からなるディスプレイ４と、ハードディスク等の記録媒体により構成され、後述する制御率テーブルを不揮発性に記録する記録部５と、画素値更新部６と、切換部７と、ディスプレイ４の位置を検出して当該位置を示す位置データＳposを出力する位置検出部８と、キーボード、マウス又はタッチパネル等から成り、表示装置Ｄ１としての処理を指定する操作信号Ｓopを生成する入力部９と、上記位置データＳposにより示される位置における時刻に関する時刻データＳtを取得する時刻取得部１０と、により構成されている。
【００５５】
このとき、ディスプレイ４が本発明に係る「表示手段」の一例に相当し、切換制御部３が本発明に係る「画像情報取得手段」の一例に相当し、時刻取得部１０が本発明に係る「時情報取得手段」の一例に相当する。また、画素値更新部６が本発明に係る「処理手段」の一例に相当し、入力部９が本発明に係る「指定手段」の一例に相当し、位置検出部８が本発明に係る「位置情報取得手段」の一例に相当する。
【００５６】
この構成において画像生成部１は、ディスプレイ４に表示されるべき画像（静止画又は動画の少なくともいずれか一方を含む。以下同様。）に相当する画像情報Ｓinを生成して切換制御部３に出力する。一方記録部５は、第１実施形態に係る制御処理のための予め設定された制御率テーブルであって、上記画像における青色成分を制御する際に用いられる低減率パラメータを少なくとも含む制御率テーブルを、不揮発性にｎ個（ｎは自然数。以下、同様。）記録している。なお、各制御率テーブルについては、後ほど詳述する。
【００５７】
一方入力部９は、ユーザの操作に基づき、第１実施形態に係る制御処理を実行するか否かを示す信号、及び当該制御処理を実行する場合において当該制御処理に用いられる上記制御率テーブルを指定するための信号を含む操作信号Ｓopを生成して制御部２に出力する。このとき、ディスプレイ４に表示する画像が例えば映画に相当する画像である場合は、その画質等を維持すべく、第１実施形態に係る制御処理を実行しない旨の操作が入力部９において行われるのが好ましい。これに対して、ディスプレイ４に表示する画像が例えば事務用の文書に相当する画像である場合は、第１実施形態に係る制御処理により有効にブルーライトの強度を制御すべく、当該制御処理を実行する旨の操作が入力部９において行われるのが好ましい。また、第１実施形態に係る制御処理を実行する場合には、その制御率（即ち、ブルーライトの強度を増強する場合はその増強率であり、ブルーライトの強度を低減する場合はその低減率となる）を選択する操作を反映した上記操作信号Ｓopが生成／出力されることになる。
【００５８】
他方位置検出部８は、例えばＧＰＳ（Global Positioning System）を用いた自動検出、又はユーザの入力操作に基づいて上記位置データＳposを生成し、制御部２に出力する。更に時刻取得部１０は、例えば図示しないタイマから現在時刻を示す時刻データＳtを取得し、制御部２に出力する。この場合に時刻取得部１０は、上記現在時刻の他に、現在時刻以外の例えばユーザが指定した時刻を示す時刻データＳtを取得して制御部２に出力してもよい。
【００５９】
これらにより制御部２は、上記操作信号Ｓop、位置データＳpos及び時刻データＳtに基づき、第１実施形態に係る制御処理を実行するか否かを示すオン／オフ信号、及び当該制御処理を実行する場合において当該制御処理に用いられる上記制御率テーブルを指定するためのテーブル指定信号をそれぞれ含む制御信号Ｓcを生成する。この場合制御部２は、第１実施形態に係る制御処理を実行する場合においては、位置データＳposにより示される位置（例えば東京）、及び時刻データＳtにより示される時刻に基づき、その位置及び時刻に対応した制御率テーブルを指定するための上記テーブル指定信号を生成する。その後制御部２は、上記オン／オフ信号を切換制御部３及び切換部７に、上記テーブル指定信号を上記記録部５に、それぞれ出力する。
【００６０】
これにより切換制御部３は、制御部２からの上記オン／オフ信号に基づき、画像情報Ｓinについて第１実施形態に係る制御処理を実行するか否かを判定し、実行する場合は画像情報Ｓinを画素値更新部６に出力する。一方当該制御処理を実行しない場合、切換制御部３は画像情報Ｓinをそのまま切換部７に出力する。
【００６１】
次に記録部５は、制御部２からの上記テーブル指定信号により指定されている制御率テーブルに含まれる制御率パラメータを、画素値更新部６に出力する。
【００６２】
これらにより画素値更新部６は、切換制御部３から出力されてくる画像情報Ｓinに含まれている各画素における赤色成分、青色成分及び緑色成分それぞれの画素値（より具体的には、例えば輝度）を、記録部５から出力された制御率テーブルにより示される画素値に更新し、更新画像情報Ｓbcとして切換部７に出力する。ここで、上記画素値（又は輝度）の上限値は階調数によって決定され、ディスプレイ４が液晶ディスプレイにより構成される場合には、ＲＧＢ色空間を用いる２４ビットの液晶ディスプレイであればその上限値は三色の色成分ごとに「２５５（２８−１）」であり、同様の色空間を用いる１８ビットの液晶ディスプレイであればその上限値は三色の色成分ごとに「６３（２６−１）」である。
【００６３】
そして切換部７は、制御部２からの上記オン／オフ信号に基づき、第１実施形態に係る制御処理を行わない場合には、切換制御部３からの画像情報Ｓinをそのまま表示情報Ｓoutとしてディスプレイ４に出力する。これに対して第１実施形態に係る制御処理を行う場合には、画素値更新部６からの上記更新画像情報Ｓbcを表示情報Ｓoutとしてディスプレイ４に出力する。
【００６４】
最後にディスプレイ４は、切換部７から出力されてきた表示情報Ｓoutに相当する画像を表示する。
【００６５】
次に、第１実施形態に係る制御処理に用いられる上記制御率テーブルについて、図９を用いて説明する。
【００６６】
第１実施形態に係る制御処理では、上記背景技術として説明した特別な光学部品を別途使用することなく、表示装置Ｄ１としての色調整処理により、画像情報Ｓinに相当する画像におけるブルーライトの強度を時間に応じて制御する。なお以下の説明における「低減率」及び「増強率」とは、第１実施形態に係る制御処理を行わない場合における入力画像（画像情報Ｓin）の各画素値を「１」とし、以下の式により定義されるパラメータである。
【００６７】
低減率［％］＝｛１−（出力画素値／入力画素値）｝×１００
増強率［％］＝｛（出力画素値／入力画素値）−１｝×１００
このとき、上記バックライトの明るさと表示された画像の輝度が比例関係でない場合があることにより、画像情報としての低減率又は増強率と、実際にディスプレイ４に画像を表示した際にディスプレイ４から発生するエネルギーの低減率又は増強率と、は異なることに注意を要する。
【００６８】
先ず、画像情報Ｓinにおける各画素におけるブルーライトの強度を低減する場合について図９（ａ）に例示するように、横軸を入力画素値とし、縦軸を出力画素値とすると、第１実施形態に係る制御処理のうちブルーライトの強度の低減処理（以下第１実施形態において、単に「低減処理」と称する）では、図９において破線で示す原画（即ち、上記画像情報Ｓinに相当する画像）に対して、青色成分（図９において「Ｂ」と示す）の低減率が他の色成分（赤色成分（図９（ａ）において「Ｒ」と示す）及び緑色成分（図９（ａ）において「Ｇ」と示す））の低減率よりも大きくなるように、上記画素値更新部６において各色成分の輝度を更新し、上記更新画像情報Ｓbcとして切換部７に出力する。この低減処理は、例えば画素ごとに実行される。ここで、上記青色成分の波長は例えば４４０ナノメートル乃至４９０ナノメートル程度であり、上記赤色成分の波長は例えば６２０ナノメートル乃至７４０ナノメートル程度であり、上記緑色成分の波長は例えば５００ナノメートル乃至６００ナノメートル程度である。また図９（ａ）において、赤色成分及び緑色成分のグラフが例えば出力画素値＝入力画素値×０．９で表されるとすると、当該赤色成分及び緑色成分それぞれにおける低減率は１０％（（１−０．９）×１００）となり、また青色成分のグラフが例えば出力画素値＝入力画素値×０．７５で表されるとすると、当該青色成分における低減率は２５％（（１−０．７５）×１００）となる。図９（ａ）からも明らかなように、第１実施形態に係る低減処理においては、青色成分だけでなく赤色成分及び緑色成分についてもそれぞれ低減するが、それらの低減率については、青色成分が他の色成分よりも大きいものとされている。
【００６９】
なお、図９（ａ）において、青色成分のみを低減することも可能であるが、その場合には画像全体としての色味が変化してしまい（より具体的には、黄色がかってしまい）、表示装置Ｄ１としては好ましくない。そこで第１実施形態に係る低減処理では、青色成分だけでなく、図９（ａ）に例示するように赤色成分及び緑色成分も低減させる。これにより、画像全体としての色味の変化を抑制しつつ、有害なブルーライトを低減することができる。なおこのとき、画像の内容によっては、上述した青色成分のみの低減を行ってもよい場合（換言すれば、赤色成分及び緑色成分それぞれにおける低減率はゼロとする（赤色成分及び緑色成分を低減しない）場合）もあり得る。そしてこの場合についても、第１実施形態に係る表示装置Ｄ１では、青色成分のみを低減するための制御率テーブルを選択することで、これを可能とすることができる。なお上記低減処理は、上述したＲＧＢ色空間以外にも、例えばいわゆるＨＬＳ（Hue、Luminance、Saturation）色空間、ＨＳＶ（Hue、Saturation、Value）色空間、又は輝度（Ｙ）を含むYCbCr色空間等に対しても同様に適用可能である。
【００７０】
次に、画像情報Ｓinにおける各画素におけるブルーライトの強度を増強する場合について図９（ｂ）に例示するように、図９（ａ）の場合と同様に横軸を入力画素値とし、縦軸を出力画素値とすると、第１実施形態に係る制御処理のうちブルーライトの強度の増強処理（以下第１実施形態において、単に「増強処理」と称する）では、破線で示す原画に対して、青色成分が原画よりも大きくなるように、上記画素値更新部６において青色成分の輝度を更新し、上記更新画像情報Ｓbcとして切換部７に出力する。この増強処理も、上記低減処理と同様に例えば画素ごとに実行される。
【００７１】
そして、第１実施形態に係る表示装置Ｄ１の記録部５には、図９にそれぞれ例示した第１実施形態の趣旨を、異なる日及び時刻についてそれぞれ示す制御率パラメータを含む制御率テーブルが、例えば図８に例示するように第１制御率テーブルＴ１、第２制御率テーブルＴ２、第３制御率テーブルＴ３、…、第ｎ制御率テーブルＴｎとして予め記録されている。このとき上記「制御率」には、上記低減処理を実行する場合の青色成分の低減率と、上記増強処理を実行する場合の青色成分の増強率と、の双方が含まれている。また、日及び時刻ごとの制御率テーブルにおける制御率パラメータのそれぞれは、図１に例示する暦情報に基づき、一日における第１実施形態に係る制御処理が図２乃至図４のいずれかに例示する制御態様で季節ごとに実行される値とされている。これら制御率パラメータの実際の値は、上記暦情報に基づき、例えば実験的或いは経験的に予め定められることが考えられる。
【００７２】
次に、第１実施形態に係る制御処理について、より具体的に図１０を用いて説明する。なお図１０に示す当該制御処理は、例えば表示装置Ｄ１の電源スイッチがオンとされたタイミングから開始され、主として制御部２を中心として実行される。
【００７３】
図１０に示すように、第１実施形態に係る制御処理においては初めに、位置検出部８からの位置データＳposにより示される（ディスプレイ４の）位置、及び時刻取得部１０からの時刻データＳtにより示される日時を取得する（ステップＳ１）。これにより制御部２は、上記オン／オフ信号を制御信号Ｓcとして切換制御部３及び切換部７に出力すると共に、第１実施形態に係る制御処理を実行する場合において当該制御処理に用いられる制御率テーブルを指定するための上記テーブル指定信号を含む制御信号Ｓcを記録部５に出力する。
【００７４】
次に、画像生成部１から上記画像情報Ｓinが入力されると、最初に切換制御部３に取り込まれる（ステップＳ２）。そして切換制御部３は、制御部２からの上記オン／オフ信号に基づき、画像情報Ｓinについて第１実施形態に係る制御処理を実行するか否かを判定する（ステップＳ３）。ステップＳ３の判定において当該制御処理を実行する場合（ステップＳ３；ＹＥＳ）、切換制御部３は画像情報Ｓinを画素値更新部６に出力する。一方、ステップＳ３の判定において当該制御処理を実行しない場合（ステップＳ３；ＮＯ）、切換制御部３は画像情報Ｓinをそのまま切換部７に出力する（ステップＳ６）。
【００７５】
これらと並行して記録部５では、制御部２からの上記テーブル指定信号により示されている制御率テーブルの選定（換言すれば、低減率又は増強率の指定）が行われ（ステップＳ４）、テーブル指定信号により指定された制御率テーブルに含まれる制御率パラメータが画素値更新部６に出力される。
【００７６】
これらにより画素値更新部６は、切換制御部３から出力されてくる画像情報Ｓinに含まれている各画素における青色成分、赤色成分及び緑色成分それぞれの画素値を、記録部５から出力された制御率テーブルにより示される画素値に更新し（ステップＳ５）、更新画像情報Ｓbcとして切換部７に出力する。
【００７７】
そして切換部７は、制御部２からの上記オン／オフ信号に基づき、切換制御部３側と画素値更新部６側とを切り換えて、表示情報Ｓoutをディスプレイ４に出力して表示させる（ステップＳ６）。
【００７８】
以上説明した第１実施形態に係る制御処理が実行されると、例えば図１１に例示するように、一日のうちの時刻（図１１における横軸）に基づき、その時刻においてディスプレイ４を使用する場合の青色成分の強度（図１１における縦軸）が、図１に例示した暦情報に基づいて図２乃至図７に例示した態様で変化する。なお図１１に例示する場合、０時付近の○は暦情報における前日の日の入りの時刻と当日の日の出の時刻とに基づいて設定される青色成分の強度を示し、６時付近の○は暦情報における当日の日の出の時刻に相当する時刻における青色成分の強度を示し、１８時付近の○は暦情報における当日の日の入りの時刻に相当する時刻における青色成分の強度を示し、１２時付近の○は暦情報における当日の南中時刻に相当する時刻における青色成分の強度を示し、２４時付近の○は暦情報における当日の日の入りの時刻と翌日の日の出の時刻とに基づいて設定される青色成分の強度を示す。
【００７９】
ここで上述した第１実施形態では、一日のうちの青色成分の制御率を時刻に応じて自動的に制御することとしたが、例えば図１１に●で示す時刻又は上記○で示す時刻それぞれにおける青色成分の強度を、例えば入力部９を用いてユーザが任意に指定するように構成してもよい。より具体的に例えば、第１実施形態に係る制御処理の趣旨が体内リズム等の維持／調整であることに鑑み、青色成分の増強、低減、不変更等のために推奨される設定時間帯幅や選択肢をユーザに提示し、そこから当該ユーザが自身の生活パターン等に応じて上記増強処理又は低減処理を行う時間帯、及び増強又は低減の程度を指定するように構成することができる。即ち例えば、「起床から○○時間は××％程度増強し、就寝前の△△時間は●●％程度低減する」等を推奨設定として提示し、その中からユーザが調整時間を選択するといったユーザインターフェースとすることが好適である。
【００８０】
次に当該ユーザインターフェースの一例について、具体的に図１２乃至図１４を用いて説明する。即ち、ある日及び時刻の制御率テーブルにより示されている青色成分の強度のユーザによる変更を可能とする場合、当該制御率テーブルに相当した一日の青色成分の強度変化を含むインターフェース画面ＳＧが、図１２（ａ）に例示するようにディスプレイ４に表示される。なお図１２（ａ）に例示するインターフェース画面ＳＧ上には、当該インターフェース画面ＳＧに対応する制御率テーブルにより示される青色成分の強度を例えば二時間ごとに示す●を含むグラフが表示されており、更に各時刻の青色成分の強度（●）を変更する際に操作されるカーソルＣも合わせて表示される。また、当該カーソルＣを用いた入力部９における操作により各時刻の青色成分の強度を任意にユーザが変更できることを示す凡例ＮＴも合わせて表示される。このとき、図１２（ａ）に例示する凡例ＮＴでは、各時刻の青色成分の強度を示す●が、当該強度を変える方向（インターフェース画面ＳＧにおける図１２（ａ）中上下方向）、又は当該強度となる時刻を変える方向（即ちインターフェース画面ＳＧにおける図１２（ａ）中左右方向）のいずれかに移動可能であることが、それぞれ破線両矢印により示されている。
【００８１】
次に、図１２（ａ）に例示するインターフェース画面ＳＧがディスプレイ４に表示されている状態で、ユーザが第１例として、対応する制御率テーブルにおける１６時の青色成分の強度が１８時頃の強度となるように、時間的に後にずらしたいと考えたとする。この場合に当該ユーザは、図１２（ｂ）に例示するインターフェース画面ＳＧがディスプレイ４に表示されている状態で、入力部９を構成する図示しない例えばマウスの操作により、１６時の青色成分の強度を示すポイントＰ２の位置にカーソルＣを移動させる。そして当該ユーザは、例えば上記マウスにおけるクリック操作により当該ポイントＰ２を選択した後、当該選択のままカーソルＣを図１２（ｂ）に破線矢印で示すように右方向に１８時頃に相当する位置まで移動させる。この操作により、図１２（ｂ）に破線のポイントＰ２で例示される元の１６時の青色成分の強度が、図１２（ｂ）に実線のポイントＰ２で例示される１８時頃の青色成分の強度となるように指定される。なお、ポイントＰ２近辺の他のポイントＰ１、ポイントＰ３及びポイントＰ４それぞれに対応する青色成分の強度については、図１２（ｂ）に例示するように、当該ポイントＰ２に対応する青色成分の強度の変化（ポイントＰ２の移動）に伴って、青色成分の強度の変化を示す曲線全体が滑らかな変化を維持するように、各ポイントＰ１、ポイントＰ３及びポイントＰ４それぞれに相当する青色成分の強度を変化させるのが好適である。またこの他に図１２（ｃ）に例示するように、ポイントＰ２に対応する青色成分の強度のみを変化させることで、青色成分の強度の変化を示す曲線が、ポイントＰ１（不変）に対応する青色成分の強度→実線で示されるポイントＰ２に対応する青色成分の強度→ポイントＰ３（不変）に対応する青色成分の強度、と変化するように青色成分の強度を変化させるようにしてもよい。そして、図１２（ｂ）又は図１２（ｃ）に例示する変更後の青色成分の強度に対応する制御率テーブルの記述内容（制御率パラメータ）は、記録部５に記録され、第１実施形態に係る制御処理に供される。
【００８２】
次に、図１２（ａ）に例示するインターフェース画面ＳＧがディスプレイ４に表示されている状態で、ユーザが第２例として、対応する制御率テーブルにおける１６時の青色成分の強度を（時刻をずらさずに）下げたいと考えたとする。この場合に当該ユーザは、図１２（ａ）に例示するインターフェース画面ＳＧがディスプレイ４に表示されている状態で例えば上記マウスの操作により、１６時の青色成分の強度を示すポイントＰ２の位置にカーソルＣを移動させる。そして、例えば上記クリック操作によりポイントＰ２を選択した後、当該選択のままカーソルＣを図１３（ａ）に破線矢印で示すように所望の青色成分の強度の位置まで下方向に移動させる。この操作により、図１３（ａ）に破線のポイントＰ２で例示される元の１６時の青色成分の強度が、図１３（ａ）に実線のポイントＰ２で例示される（弱い）青色成分の強度となるように指定される。なお、ポイントＰ２近辺の他のポイントＰ１及びポイントＰ３それぞれに対応する青色成分の強度については、図１３（ａ）に例示するように、当該ポイントＰ２に対応する青色成分の強度の変化（ポイントＰ２の移動）に伴って、青色成分の強度の変化を示す曲線全体が滑らかな変化を維持するようにポイントＰ１及びポイントＰ３それぞれに相当する青色成分の強度を変化させるのが好適である。またこの他に図１３（ｂ）に例示するように、ポイントＰ２に対応する青色成分の強度のみを変化させることで、青色成分の強度の変化を示す曲線が、ポイントＰ１（不変）に対応する青色成分の強度→実線で示されるポイントＰ２に対応する青色成分の強度→ポイントＰ３（不変）に対応する青色成分の強度、と変化するように青色成分の強度を変化させるようにしてもよい。そして、図１３（ａ）又は図１３（ｂ）に例示する変更後の青色成分の強度に対応する制御率テーブルの記述内容（制御率パラメータ）は、記録部５に記録され、第１実施形態に係る制御処理に供される。
【００８３】
最後に、図１２（ａ）に例示するインターフェース画面ＳＧがディスプレイ４に表示されている状態で、ユーザが第３例として、対応する制御率テーブルにおける１６時の青色成分の強度を弱めて、且つ当該弱めた強度が１８時頃の強度となるようにずらしたいと考えたとする。この場合に当該ユーザは、図１２（ａ）に例示するインターフェース画面ＳＧがディスプレイ４に表示されている状態で例えば上記マウスの操作により、１６時の青色成分の強度を示すポイントＰ２の位置にカーソルＣを移動させる。そして、例えば上記クリック操作によりポイントＰ２を選択した後、１８時頃に相当する位置まで当該ポイントＰ２を移動させるための右方向の移動と、所望の青色成分の強度の位置まで当該ポイントＰ２を移動させるための下方向の移動と、を合わせて、当該選択のままカーソルＣを図１４（ａ）に破線矢印で示すように斜め右下方向に移動させる。この操作により、図１４（ａ）に破線のポイントＰ２で例示される元の１６時の青色成分の強度が、図１４（ａ）に実線のポイントＰ２で例示される１８時頃の（弱い）青色成分の強度となるように指定される。なお、ポイントＰ２近辺の他のポイントＰ１及びポイントＰ３それぞれに対応する青色成分の強度については、図１４（ａ）に例示するように、当該ポイントＰ２に対応する青色成分の強度の変化（ポイントＰ２の移動）に伴って、青色成分の強度の変化を示す曲線全体が滑らかな変化を維持するようにポイントＰ１及びポイントＰ３それぞれに相当する青色成分の強度を変化させるのが好適である。またこの他に図１４（ｂ）に例示するように、ポイントＰ２に対応する青色成分の強度のみを変化させることで、青色成分の強度の変化を示す曲線が、ポイントＰ１（不変）に対応する青色成分の強度→実線で示されるポイントＰ２に対応する青色成分の強度→ポイントＰ３（不変）に対応する青色成分の強度、と変化するように青色成分の強度を変化させるようにしてもよい。そして、図１４（ａ）又は図１４（ｂ）に例示する変更後の青色成分の強度に対応する制御率テーブルの記述内容（制御率パラメータ）は、記録部５に記録され、第１実施形態に係る制御処理に供される。
【００８４】
なお上述と同様に、図１５に例示するように、第１実施形態に係る制御処理のうち青色成分の増強処理のみを実行する場合（図１５（ａ））、又は当該青色成分の低減処理のみを実行する場合（図１５（ｂ））、のいずれについても、制御率テーブルの記述内容を用いて自動的に制御することもできるし、ユーザの指定操作により、それぞれの制御処理を実行するように構成することもできる。なお図１５に例示する場合において、○及び●それぞれの意味は、上述した図１１に例示する場合と同様である。
【００８５】
更に上述した第１実施形態では、主として青色成分についてのみ、その増強又は低減を含む制御処理の対象とすることとしたが、これ以外に、青色成分以外の色成分も合わせて、或いは青色成分以外の色成分のみを対象として、それぞれ時刻に応じてその増強又は低減を行うように構成してもよい。この場合も、第１実施形態と同様の制御率テーブルを色成分ごとに設定／記録することにより、それぞれの色成分に対する制御処理が可能となる。
【００８６】
以上説明したように、第１実施形態に係る制御処理によれば、画像情報Ｓinにおけるいずれかの色成分に相当する輝度を時刻に対応した制御率テーブルに基づいて制御して更新画像情報Ｓbc及び表示情報Ｓoutを生成するので、表示情報Ｓoutに相当する画像を視認するユーザの、視覚を通じた体内リズム等を良好に維持させることができる。
【００８７】
また、画像情報Ｓinにおける青色成分に相当する輝度を主として制御して更新画像情報Ｓbc及び表示情報Ｓoutを生成する場合には、上記体内リズム等に影響を与え易いとされる青色成分に相当する輝度を適切に制御して、当該体内リズム等を良好に維持させることができる。
【００８８】
更に、画像を視認するユーザの活動時間における青色成分に相当する輝度を、それ以外の時間における当該輝度よりも高くなるように制御する場合（図２乃至図７参照）には、活動時間とそれ以外の時間における体内リズムを良好に調整することができる。なおこの場合、そのユーザが例えば夜間勤務者である場合には、図２乃至図７に例示する制御態様を、それぞれの中心を通る図２乃至図７水平方向の軸を対称軸として図２乃至図７において上下逆とした制御態様により、第１実施形態に係る制御処理を実行するのが好適である。
【００８９】
更にまた、例えば図１１乃至図１５に例示するように、図１に例示する暦情報における日の出の時刻又は日の入りの時刻の少なくともいずれか一方に基づいて色成分の輝度を制御する場合には、画像を視認するユーザの一日の体内リズム等の変化に合わせた色成分の画像を表示させることで、より良好に当該体内リズム等を調整することができる。なお図１１乃至図１５に例示する場合についても、そのユーザが例えば夜間勤務者である場合には、図１１乃至図１５に例示する輝度の制御態様を、それぞれの横軸を対称軸として図１１乃至図１５において上下逆とした制御態様により、第１実施形態に係る制御処理を実行するのが好適である。
【００９０】
また、例えば入力部９を用いてユーザが色成分の輝度の制御態様を入力する場合には、画像を視認する当該ユーザの好み等に合わせて輝度を制御でき、当該ユーザに適合させてその体内リズム等を調整することができる。更に図１２乃至図１４に例示するような、青色成分の強度の時間変化に相当するグラフを含むインターフェース画面ＳＧをディスプレイ４に表示して当該強度の変更を行う場合は、画像を視認するユーザの好み等に合わせて簡易に輝度を制御でき、当該ユーザにより適合させてその体内リズム等を維持／調整することができる。
【００９１】
更にまた、位置データＳposにより示されるディスプレイ４の位置に対応した暦情報及び時刻データＳtに基づいて色成分の輝度の制御を行うので、当該位置に適合させてより適切に体内リズム等を調整することができる。
【００９２】
（II）第２実施形態
次に、本発明に係る他の実施形態である第２実施形態について、図１６乃至図２２を用いて説明する。なお、図１６乃至図２０は第２実施形態の原理等を説明する図であり、図２１は第２実施形態に係る表示装置の概要構成を示すブロック図であり、図２２は第２実施形態に係る制御処理を示すフローチャートである。また以下の説明では、第２実施形態に係るブルーライトの強度の制御処理を、単に「第２実施形態に係る制御処理」と称する。
【００９３】
上記第１実施形態に係る制御処理において説明したように、当該制御処理は、上述したＲＧＢ色空間以外に、ＨＬＳ色空間、ＨＳＶ色空間、又は輝度（Ｙ）を含むYCbCr色空間等に対しても同様に適用可能である。そこで以下に説明する第２実施形態では、ＲＧＢ色空間からＨＬＳ色空間やＨＳＶ色空間のような色空間に変換し、Ｒ、Ｇ、Ｂの三原色だけではなく、シアン、マゼンタ及びイエロー等を考慮して、色空間毎に低減率又は増強率を制御して効率的なブルーライトの強度の制御を行い、ＲＧＢ色空間に再変換してディスプレイに表示させるように構成する。より具体的に第２実施形態としては、本発明を上記ＨＬＳ色空間又はＨＳＶ色空間を用いて実施する場合の実施形態を説明する。
【００９４】
（Ａ）ＨＬＳ色空間及びＨＳＶ色空間について
初めに、第２実施形態に係るＨＬＳ色空間及びＨＳＶ色空間について、それぞれ図１６を用いてその概念を説明する。なお、これらＨＬＳ色空間及びＨＳＶ色空間自体は、画像処理用としては、第１実施形態に係るＲＧＢ色空間と共に従来一般的に知られている色空間である。
【００９５】
先ず図１６（ａ）にその概念を上下錐状に示すように、第２実施形態に係る低減処理に用いられるＨＬＳ色空間は、色相（Hue）軸Ｈ、輝度（Luminance）軸Ｌ及び彩度（Saturation）軸Ｓにより構成されている。
【００９６】
このうち色相軸Ｈは、いわゆる「色味」を０度から３６０度の範囲の角度で表す軸であり、図１６（ａ）に例示するように、Ｒ（赤）成分、Ｇ（緑）成分及びＢ（青）成分の他に、Ｃ（Cyan（シアン））成分、Ｍ（Magenta（マゼンタ））成分及びＹ（Yellow（黄））成分が含まれている。このとき、例えば０度がＲ成分であり、色相軸Ｈ上でその反対側に位置する１８０度は、Ｒ成分の反対色に当たる青緑成分となる。このようなＨＬＳ色空間を用いれば、いわゆる反対色を求めるのも容易となる。また、ＨＬＳ色空間における上記Ｂ成分の波長はＲＧＢ色空間における青色成分と同様に例えば４４０ナノメートル乃至４９０ナノメートル程度であり、上記Ｒ成分の波長はＲＧＢ色空間における赤色成分と同様に例えば６２０ナノメートル乃至７４０ナノメートル程度であり、上記Ｇ成分の波長はＲＧＢ色空間における緑色成分と同様に例えば５００ナノメートル乃至６００ナノメートル程度である。そして、上記Ｃ成分は上記Ｇ成分と上記Ｂ成分とからなる成分であり、上記Ｍ成分は上記Ｒ成分と上記Ｂ成分とからなる成分であり、上記Ｙ成分は上記Ｒ成分と上記Ｇ成分とからなる成分である。
【００９７】
次に彩度軸Ｓは、輝度軸Ｌ（ＨＬＳ色空間の中心軸）からの距離に見立てて、０％（中心軸自体）から１００％（最外周）の範囲で「色の鮮やかさ」を表す軸であり、純色から彩度が落ちるということは、即ち灰色に近付いていくという考え方に基づいた概念である。
【００９８】
最後に輝度軸Ｌは、「色の明るさ」を０％から１００％の範囲で表す軸であり、輝度０％（図１６（ａ）最下端）が「黒」であり、輝度１００％（図１６（ａ）最上端）が「白」であり、その中間（色相軸Ｈを表す円板の位置）が５０％で純色を表している。
【００９９】
次に図１６（ｂ）にその概念を円柱状に示すように、第２実施形態に係る制御処理に用いられるＨＳＶ色空間は、色相（Hue）軸Ｈ、明度（又は輝度）（Value）軸Ｖ及び彩度（Saturation）軸Ｓにより構成されている。
【０１００】
このうち色相軸Ｈは、上記ＨＬＳ色空間の色相軸Ｈと基本的に同様の軸であり、色の種類を０度から３６０度の範囲の角度で表し、Ｒ成分、Ｇ成分及びＢ成分の他に、Ｃ成分、Ｍ成分及びＹ成分が含まれている。
【０１０１】
次に彩度軸Ｓは、これも上記ＨＬＳ色空間の彩度軸Ｓと同様に、明度軸Ｖ（ＨＳＶ色空間の中心軸）からの距離に見立てて、０％（中心軸自体）から１００％（最外周）の範囲で、「色の鮮やかさ」を表す軸である。
【０１０２】
最後に明度軸Ｖは、上記ＨＬＳ色空間の輝度軸Ｌに類似して、「色の明るさ」を０％から１００％の範囲で表す軸である。このとき当該明度軸Ｖが、明度１００％の純色からどの程度明るさが失われるかを示すのに対し、上記ＨＬＳ色空間の輝度軸Ｌは上述したように、「黒」が輝度０％であり、「白」が輝度１００％であり、その中間の輝度５０％が純色である点が異なる。この点、ＨＬＳ色空間の輝度軸Ｌにおける５０％以下がＨＳＶ色空間の明度軸Ｖに相当し、当該輝度軸Ｌにおける５０％以上がＨＳＶ色空間の彩度軸Ｓに相当すると言える。
【０１０３】
（Ｂ）第２実施形態の原理について
次に、上記ＨＬＳ色空間又はＨＳＶ色空間に適用される第２実施形態に係る制御処理の原理について、色空間別に図１７乃至図２０を用いて説明する。
【０１０４】
先ず第２実施形態に係る制御処理として、ＨＬＳ色空間において白色（無彩色）に対して第２実施形態に係るブルーライトの強度の低減処理（以下第２実施形態において、単に「第２実施形態に係る低減処理」と称する）を施す場合、図１７（ａ）に破線○及び実線○で例示するように、輝度軸Ｌ上において輝度を例えば破線○のレベルから実線○のレベルまで低減させることにより、ディスプレイによる表示上の色味を変化させることなく、ブルーライトの低減が可能である。一方、ＨＬＳ色空間のＢ成分に対して第２実施形態に係る低減処理を施す場合、図１７（ｂ）に破線○及び実線○でそれぞれ例示するように、色相軸ＨにおけるＢ成分のみのレベルを低減することで、他の色成分（例えばＣ成分及びＭ成分）への影響を低減することにより全体的な表示上の色味の変化を抑制しつつ、ブルーライトの低減が可能である。
【０１０５】
これに対し、ＨＳＶ色空間において白色（無彩色）に対して第２実施形態に係る低減処理を施す場合、図１８（ａ）に破線○及び実線○で例示するように、ＨＬＳ色空間の場合と同様に輝度軸Ｌ上において輝度を例えば破線○のレベルから実線○のレベルまで低減させることにより、ディスプレイによる表示上の色味を変化させることなく、ブルーライトの低減が可能である。また、ＨＳＶ色空間のＢ成分に対して第２実施形態に係る低減処理を施す場合、図１８（ｂ）に破線○及び実線○でそれぞれ例示するように、これもＨＬＳ色空間の場合と同様に色相軸ＨにおけるＢ成分のみのレベルを低減することで、他の色成分への影響を低減することにより全体的な表示上の色味の変化を抑制しつつ、ブルーライトの低減が可能である。
【０１０６】
次に第２実施形態に係る制御処理として、ＨＬＳ色空間において白色（無彩色）に対して第２実施形態に係るブルーライトの強度の増強処理（以下第２実施形態において、単に「第２実施形態に係る増強処理」と称する）を施す場合、図１９（ａ）に破線○及び実線○で例示するように、輝度軸Ｌ上において輝度を例えば破線○のレベルから実線○のレベルまで増強させることにより、ディスプレイによる表示上の色味を変化させることなく、ブルーライトの増強が可能である。一方、ＨＬＳ色空間のＢ成分に対して第２実施形態に係る増強処理を施す場合、図１９（ｂ）に破線○及び実線○でそれぞれ例示するように、色相軸ＨにおけるＢ成分のみのレベルを増強することで、他の色成分（例えばＣ成分及びＭ成分）への影響を低減することにより全体的な表示上の色味の変化を抑制しつつ、ブルーライトの増強が可能である。
【０１０７】
これに対し、ＨＳＶ色空間において白色（無彩色）に対して第２実施形態に係る増強処理を施す場合、図２０（ａ）に破線○及び実線○で例示するように、ＨＬＳ色空間の場合と同様に輝度軸Ｌ上において輝度を例えば破線○のレベルから実線○のレベルまで増強させることにより、ディスプレイによる表示上の色味を変化させることなく、ブルーライトの増強が可能である。また、ＨＳＶ色空間のＢ成分に対して第２実施形態に係る増強処理を施す場合、図２０（ｂ）に破線○及び実線○でそれぞれ例示するように、これもＨＬＳ色空間の場合と同様に色相軸ＨにおけるＢ成分のみのレベルを増強することで、他の色成分への影響を低減することにより全体的な表示上の色味の変化を抑制しつつ、ブルーライトの増強が可能である。
【０１０８】
（Ｃ）第２実施形態に係る表示装置の構成及び動作等
次に、上述した原理を用いる第２実施形態に係る制御処理を実行する第２実施形態に係る表示装置の構成及び動作等について、具体的に図２１及び図２２を用いて説明する。なお図２１及び図２２では、第１実施形態に係る表示装置Ｄ１と同一の部材又は同一のステップについては、同一の部材番号又は同一のステップ番号を付して細部の説明は省略する。また以下の説明では、第２実施形態に係る制御処理の一例としてＨＬＳ色空間を用いた場合について説明する。
【０１０９】
図２１に示すように、第２実施形態に係る表示装置Ｄ２は、第１実施形態に係る表示装置Ｄ１の場合と同様の構成及び機能を備える画像生成部１、制御部２、切換制御部３、ディスプレイ４、記録部５、切換部７、位置検出部８、入力部９及び時刻取得部１０に加えて、第２実施形態に係る画素値更新部６０と、第２実施形態に係る色空間変換部６１と、第２実施形態に係る色空間逆変換部６２と、により構成されている。なお記録部５については、それに記録されている制御率テーブルが、上記ＨＬＳ色空間を用いた第２実施形態に係る制御処理のための予め設定された制御率テーブルであって、上記画像におけるＢ成分を低減又は増強する際に用いられる制御率パラメータを少なくとも含む制御率テーブルである点が、第１実施形態に係る表示装置Ｄ１の記録部５とは異なっている。なおこの場合でも、第１実施形態に係る制御処理と同様に、上記特別な光学部品を別途使用することなく、表示装置Ｄ２としての色調整処理により、画像情報Ｓinに相当する画像におけるブルーライトを制御することに変わりはない。
【０１１０】
上記の構成を備える第２実施形態に係る表示装置Ｄ２において、画像生成部１から出力される上記画像情報Ｓinは、第１実施形態に係る表示装置Ｄ１の場合と同様にＲＧＢ色空間に対応した色データ等を含んでいる。そして制御部２は、入力部９からの上記操作信号Ｓop、位置検出部８からの上記位置データＳpos及び時刻取得部１０からの上記時刻データＳtに基づき、第２実施形態に係る制御処理を実行するか否かを示すオン／オフ信号、及び当該制御処理を実行する場合において当該制御処理に用いられる上記制御率テーブルを指定するためのテーブル指定信号をそれぞれ含む制御信号Ｓcを生成する。この場合制御部２は、第１実施形態に係る制御処理と同様に、第２実施形態に係る制御処理を実行する場合においては、位置データＳposにより示される位置、及び時刻データＳtにより示される時刻に基づき、その位置及び時刻に対応した制御率テーブル（ＨＬＳ色空間用の制御率テーブル）を指定するための上記テーブル指定信号を生成する。その後制御部２は、上記オン／オフ信号を切換制御部３及び切換部７に、上記テーブル指定信号を上記記録部５に、それぞれ出力する。
【０１１１】
これにより切換制御部３は、制御部２からの上記オン／オフ信号に基づき、画像情報Ｓinについて第２実施形態に係る制御処理を実行するか否かを判定し、実行する場合は画像情報Ｓinを色空間変換部６１に出力する。一方当該制御処理を実行しない場合、切換制御部３は画像情報Ｓinをそのまま切換部７に出力する。
【０１１２】
そして色空間変換部６１は、切換制御部３から出力された画像情報Ｓinが対応する色空間をＲＧＢ色空間からＨＬＳ色空間に変換し、変換後のＨＬＳ色空間に対応する画像情報Ｓinを画素値更新部６０に出力する。なお、色空間変換部６０における色空間の変換処理（ＲＧＢ色空間からＨＬＳ色空間への変換処理）自体は従来の当該変換処理と同一であるので、細部の説明は省略する。
【０１１３】
他方記録部５からは、制御部２からのテーブル指定信号により指定されている低減率テーブルに含まれる低減率パラメータが画素値更新部６０に出力される。
【０１１４】
これらにより画素値更新部６０は、色空間変換部６１から出力されてくる画像情報Ｓinに含まれている各画素における、ＨＬＳ色空間の少なくともＢ成分の画素値（より具体的には、例えば輝度）を、記録部５から出力された低減率テーブルにより示される画素値に更新し、更新画像情報Ｓbcとして色空間逆変換部６２に出力する。この場合の画素値の更新は、図１７又は図１９で例示した原理に基づく画素値の更新である。
【０１１５】
そして色空間逆変換部６２は、画素値更新部６０から出力された更新画像情報Ｓbcが対応する色空間をＨＬＳ色空間から元のＲＧＢ色空間に逆変換し、逆変換後のＲＧＢ色空間に対応する更新画像情報Ｓbcを切換部７に出力する。なお、色空間逆変換部６２における色空間の逆変換処理（ＨＬＳ色空間からＲＧＢ色空間への逆変換処理）自体は従来の当該逆変換処理と同一であるので、細部の説明は省略する。
【０１１６】
そして切換部７は、制御部２からの上記オン／オフ信号に基づき、第２実施形態に係る制御処理を行わない場合には、切換制御部３からの画像情報Ｓinをそのまま表示情報Ｓoutとしてディスプレイ４に出力する。これに対して第２実施形態に係る制御処理を行う場合には、色空間逆変換部６２からの上記更新画像情報Ｓbcを表示情報Ｓoutとしてディスプレイ４に出力する。
【０１１７】
最後にディスプレイ４は、切換部７から出力されてきた表示情報Ｓoutに相当する画像を表示する。
【０１１８】
次に、第２実施形態に係る制御処理について、より具体的に図２２を用いて説明する。
【０１１９】
図２２に示すように、第２実施形態に係る制御処理においては初めに、第１実施形態に係る制御処理と同様のステップＳ１乃至ステップＳ３が実行される。ステップＳ３の判定において第２実施形態に係る制御処理を実行する場合（ステップＳ３；ＹＥＳ）、切換制御部３は画像情報Ｓinを色空間変換部６１に出力する。一方、ステップＳ３の判定において当該制御処理を実行しない場合（ステップＳ３；ＮＯ）、切換制御部３は画像情報Ｓinをそのまま切換部７に出力する（ステップＳ６）。
【０１２０】
次に色空間変換部６１は、切換制御部３から出力された画像情報Ｓinに対して、上述したＲＧＢ色空間からＨＬＳ色空間への変換処理を施し、色空間がＨＬＳ色空間に変換された画像情報Ｓinを画素値更新部６０に出力する（ステップＳ１０）。
【０１２１】
これらと並行して記録部５では、制御部２からの上記テーブル指定信号により示されている制御率テーブルの選定（換言すれば、低減率又は増強率の指定）が行われ（ステップＳ１１）、テーブル指定信号により指定された制御率テーブルに含まれる制御率パラメータが画素値更新部６０に出力される。
【０１２２】
これらにより画素値更新部６０は、色空間変換部６１から出力されてくる画像情報Ｓinに含まれている各画素における色相軸Ｈの少なくともＢ成分の画素値を、記録部５から出力された制御率テーブルにより示される画素値に更新し（ステップＳ１２）、更新画像情報Ｓbcとして色空間逆変換部６２に出力する。
【０１２３】
そして色空間逆変換部６２は、画素値更新部６０から出力された更新画像情報Ｓbcに対して、上述したＨＬＳ色空間からＲＧＢ色空間への逆変換処理を施し、色空間がＲＧＢ色空間に戻された更新画像情報Ｓbcを切換部７に出力する（ステップＳ１３）。
【０１２４】
その後切換部７は、制御部２からの上記オン／オフ信号及び上記範囲指定信号に基づき、切換制御部３側と色空間逆変換部６２側とを切り換えて、表示情報Ｓoutをディスプレイ４に出力して表示させる（ステップＳ６）。
【０１２５】
以上説明したように、第２実施形態に係る制御処理によれば、ＨＬＳ色空間におけるＢ成分に相当する輝度の制御率が、色相軸Ｈ内のＢ成分以外の色成分それぞれに相当する各輝度の制御率以上となるように、当該Ｂ成分に相当する輝度を制御して更新画像情報Ｓbcを生成して表示させる。よって、当該Ｂ成分を低減する光学部材等を別途使用することなく、Ｂ成分を制御（低減又は増強）することができる。
【０１２６】
また図１７（ａ）に例示するように、画像情報Ｓinに相当する画像が無彩色である場合には、輝度軸Ｌ上でのみ（換言すれば彩度軸Ｓ上の彩度をゼロとして）輝度を制御して更新画像情報Ｓbcを生成すれば、無彩色である例えば白色の画像に対しても、眼の保護を有効に行うことができる。更に、画像情報Ｓinに相当する画像における彩度が例えば１０％以下である場合でも、色相内のＢ成分及び色相内の当該Ｂ成分以外の色成分それぞれに相当する各輝度の制御率を全て略同一として更新画像情報Ｓbcを生成すれば、色相内の全ての色成分が略等しく制御されることで、例えば表示上の白色の色味が変化することを防止しつつＢ成分が制御でき、Ｂ成分を色味の変化なく制御（低減又は増強）することができる。
【０１２７】
更にまた図１７（ｂ）に例示するように、色相内のＢ成分に相当する輝度のみを制御して表示用画像情報を生成する場合には、表示上の白色を含む色の色味が変化することを防止しつつ、Ｂ成分を制御（低減又は増強）することができる。
【０１２８】
なお、上述した第２実施形態に係る制御処理は、色空間としてＨＬＳ色空間を用いる場合について説明したが、図１６（ｂ）、図１８及び図２０を用いて説明したＨＳＶ色空間を用いる場合でも、全く同様に第２実施形態に係る制御処理を実行することができる。この場合、上記色空間変換部６１では、画像情報ＳinについてＲＧＢ色空間からＨＳＶ色空間への変換処理を行い、また色空間逆変換部６２では、更新画像情報ＳbcについてＨＳＶ色空間からＲＧＢ色空間への逆変換処理を行うことになる。またこの場合の画素値の更新は、図１８又は図２０で例示した原理に基づく画素値の更新である。なお、色空間変換部６１におけるＲＧＢ色空間からＨＳＶ色空間への変換処理自体、及び色空間逆変換部６２におけるＨＳＶ色空間からＲＧＢ色空間への逆変換処理自体は、それぞれ従来の当該変換処理及び当該逆変換処理と同一である。このように第２実施形態に係る制御処理では、画像情報Ｓinの色空間をＨＬＳ色空間又はＨＳＶ色空間のいずれか一方に変換して当該制御処理を実行するので、白色を含む色の表示上の色味が変化することを防止しつつ、Ｂ成分を制御（低減又は増強）することができる。また、同様の色空間であるいわゆるLa*b*色空間、及び輝度と色差から成るいわゆるYCbCr（YUV）色空間についても、第２実施形態は同様に適用可能である。
【０１２９】
更に、記録部５に記録されている制御率テーブルのうち制御部２の操作により選択された制御率テーブルを用いて制御処理を行う点については、第１実施形態に係る制御処理と同様の効果を奏し得ると共に、第１実施形態に係る制御処理と同様の応用が可能である。
【０１３０】
なお、本発明については、上述した第１実施形態及び第２実施形態の他に、種々の態様が可能である。
【０１３１】
例えば、第１実施形態及び第２実施形態に係るディスプレイ４としては、パーソナルコンピュータ用等の設置型のディスプレイの他に、例えば車両又は自転車等の移動案内に用いられる車載型のディスプレイに本発明を適用することも可能である。この場合、青色成分の増強処理により運転者の眠気防止を図ると言った用い方も可能であり、この場合は時刻と共に運転中であるか否か（例えば、車載型のディスプレイとして稼働中であるか否か）に基づいて青色成分の増強処理を実行するように構成することが考えられる。
【０１３２】
また例えば、第１実施形態に係る制御処理及び第２実施形態に係る制御処理を、日単位ではなく、月単位、或いは季節単位で実行するように構成することも可能である。この場合の制御率テーブルとしては、月ごと、又は季節ごとの制御率テーブルが記録部５に記録されて用いられることになる。
【０１３３】
更に上述した第１実施形態及び第２実施形態では、画像全体に対して一律に各実施形態に係る制御処理を実行する場合について説明したが、これ以外に例えば、画像内の範囲を指定して各実施形態に係る制御処理の対象とする／しないを制御するように構成することもできる。
【０１３４】
（III）第３実施形態
最後に、本発明に係る更に他の実施形態である第３実施形態について、図２３乃至図２６を用いて説明する。
【０１３５】
（Ａ）第３実施形態の原理
初めに、第３実施形態について具体的に説明する前に、第３実施形態の原理について簡潔に説明する。
【０１３６】
上記第１実施形態に係る制御処理においては上述したように、日又は時刻に応じてブルーライトの強度を制御する構成としたが、以下に説明する第３実施形態では、上記液晶ディスプレイ等からなるディスプレイを視認するユーザの年齢及び性別を示すデータを取得し、そのデータに基づいて、当該ディスプレイを用いた表示におけるコントラストの補正、色の補正及び上記ブルーライトの強度の制御をそれぞれ行う。なお以下の説明において、上記年齢及び性別を単に「年齢等」と称する。このときのブルーライトの強度の制御では、当該ユーザの年齢等に合わせて、必要に応じて当該画像におけるブルーライトの強度を低減する。以上のように当該ユーザの年齢等に合わせて表示のコントラスト等を最適化することで、当該年齢等に適合した視認し易い状態で、且つ必要に応じて当該ユーザの眼をブルーライトから保護しつつ、必要な画像を表示させる。
【０１３７】
（Ｂ）第３実施形態
次に、上述した原理に基づく本発明に係る第３実施形態について、図２３乃至図２６を用いて説明する。なお、以下に説明する第３実施形態は、液晶ディスプレイからなるディスプレイを備えて動画及び静止画を含む画像を表示する表示装置における表示状態（即ち、当該画像におけるコントラスト、色及びブルーライトの輝度等）の制御処理に対して、本発明を適用した場合の実施の形態である。また以下の説明において、第３実施形態に係る表示状態の制御処理を、単に「第３実施形態に係る制御処理」と称する。
【０１３８】
更に、図２３は第３実施形態に係る表示装置の概要構成を示すブロック図であり、図２４は第３実施形態に係るコントラストの補正処理を示す図であり、図２５は第３実施形態に係るブルーライトの強度の時刻に対応した制御処理を示す図であり、図２６は第３実施形態に係る制御処理を示すフローチャートである。
【０１３９】
図２３に示すように、第３実施形態に係る表示装置Ｄ３は、画像生成部２０と、ＣＰＵ、ＲＯＭ及びＲＡＭ等により構成される制御部２１と、コントラスト補正判定部２２と、上記ブルーライトを発生（発光）するＬＥＤであるバックライトを有する液晶ディスプレイ等からなるディスプレイ２３と、ハードディスク等の記録媒体により構成され、後述する輝度テーブル等を不揮発性に記録する記録部２４と、コントラスト補正画素値更新部２５と、色補正判定部２６と、ディスプレイ２３を視認するユーザの年齢等を示す年齢データＳageを取得する年齢データ取得部２７と、色補正画素値更新部２８と、現在時刻を示す時刻データＳtを取得する時刻取得部２９と、ブルーライト制御判定部３０と、ブルーライト制御画素値更新部３１と、により構成されている。
【０１４０】
このとき、年齢データ取得部２７が本発明に係る「年齢対応情報取得手段」の一例に相当し、ブルーライト制御画素値更新部３１が本発明に係る「処理手段」の一例に相当する。
【０１４１】
この構成において画像生成部２０は、ディスプレイ２３に表示されるべき画像（静止画又は動画の少なくともいずれか一方を含む。以下同様。）に相当する画像情報Ｓinを生成してコントラスト補正判定部２２に出力する。一方記録部２４は、第３実施形態に係る制御処理のための予め設定された各種テーブルを不揮発性に複数記録している。
【０１４２】
ここで、第３実施形態に係る上記既定の各種テーブルとして具体的には、上記コントラストの補正に用いられる強度補正テーブルと、上記色の補正に用いられる色補正テーブルと、上記ブルーライトの制御に用いられる輝度テーブルと、が、それぞれ不揮発性に記録部２４に記録されている。例えば図２３に例示する表示装置Ｄ３の場合、上記強度補正テーブルとしての第１強度補正テーブルＴＣ１乃至第ｎ強度補正テーブルＴＣｎと、上記色補正テーブルとしての第１色補正テーブルＴＬ１乃至第ｍ色補正テーブルＴＬｍ（ｍは自然数）と、上記輝度テーブルとしての第１輝度テーブルＴＢ１乃至第ｐ輝度テーブルＴＢｐ（ｐは自然数）と、が、それぞれ不揮発性に記録されている。これら各種テーブルについては、後ほど詳述する。なお以下の説明において、上記第１強度補正テーブルＴＣ１乃至第ｎ強度補正テーブルＴＣｎに共通な事項を説明する場合、これらを纏めて単に「強度補正テーブルＴＣ」と称する。また上記第１色補正テーブルＴＬ１乃至第ｎ色補正テーブルＴＬｍに共通な事項を説明する場合、これらを纏めて単に「色補正テーブルＴＬ」と称する。更に、上記第１輝度テーブルＴＢ１乃至第ｐ輝度テーブルＴＢｐに共通な事項を説明する場合、これらを纏めて単に「輝度テーブルＴＢ」と称する。
【０１４３】
一方年齢データ取得部２７は、上記年齢データＳageを取得して制御部２１に出力する。このとき年齢データ取得部２７は、例えば図示しない入力部を上記ユーザが操作することにより入力された上記年齢データＳageを当該入力部から取得してもよい。或いは年齢データ取得部２７は、例えば上記ユーザが受診している病院のカルテに相当するカルテデータを当該病院から例えばインターネット等のネットワークを介して取得し、そのカルテデータから上記年齢データＳageを抽出して制御部２１に出力してもよい。更に年齢データ取得部２７は、例えば特開２００９−３０１３２３号公報に記載されているような従来と同様の顔認識技術を用いてユーザの年齢等を推定／検出し、当該検出された年齢等を示す上記年齢データＳageを抽出して制御部２１に出力してもよい。他方時刻取得部２９は、例えば図示しないタイマから上記時刻データＳtを取得し、制御部２１に出力する。
【０１４４】
これらにより制御部２１は、上記年齢データＳage及び時刻データＳtに基づき、ディスプレイ２３に表示すべき画像において上記第３実施形態に係る各制御処理の対象とする部分を示す等の役割を担うオン／オフ信号、及び当該制御処理を実行する場合において当該制御処理に用いられる上記各種テーブルを指定するためのテーブル指定信号等を含む制御信号Ｓcを生成する。この場合に制御部２１は、上記表示すべき画像において上記第３実施形態に係る各制御処理の対象とする部分に相当する画像情報Ｓinの画素値が画像生成部２０から入力されるタイミングにおいては、オン信号である上記オン／オフ信号を含む制御信号Ｓcを生成する。これに対し制御部２１は、上記第３実施形態に係る各制御処理の対象としない部分に相当する画像情報Ｓinの画素値が画像生成部２０から入力されるタイミングにおいては、オフ信号である上記オン／オフ信号を含む制御信号Ｓcを生成する。なお、ディスプレイ２３に表示する画像を第３実施形態に係る制御処理の対象とするか否かについては、第１実施形態に係る制御処理と同様に、例えば当該画像が映画に相当する画像である場合は第３実施形態に係る制御処理の対象とせず、一方当該画像が事務用の文書に相当する画像である場合は当該制御処理の対象とするのが好ましい。
【０１４５】
また制御部２１は、第３実施形態に係る制御処理を実行する場合においては、年齢データＳageにより示される年齢等、及び時刻データＳtにより示される時刻に基づき、強度補正テーブルＴＣ、色補正テーブルＴＬ及び輝度テーブルＴＢを指定するための上記テーブル指定信号を生成する。その後制御部２１は、上記コントラストの補正の対象とする画像の部分を示す上記オン／オフ信号を制御信号Ｓcとしてコントラスト補正判定部２２に出力し、上記色の補正の対象とする画像の部分を示す上記オン／オフ信号を制御信号Ｓcとして色補正判定部２６に出力し、上記ブルーライトの制御の対象とする画像の部分を示す上記オン／オフ信号を制御信号Ｓcとしてブルーライト制御判定部３０に出力し、更に上記テーブル指定信号を制御信号Ｓcとして上記記録部２４に出力する。
【０１４６】
なお以下の第３実施形態の説明において、上記コントラストの補正の対象とする画像の部分を示す上記オン／オフ信号を単に「コントラスト補正オン／オフ信号」と称し、上記色の補正の対象とする画像の部分を示す上記オン／オフ信号を単に「色補正オン／オフ信号」と称し、上記ブルーライトの制御の対象とする画像の部分を示す上記オン／オフ信号を単に「ブルーライト制御オン／オフ信号」と称する。また、強度補正テーブルＴＣを指定するための上記テーブル指定信号を単に「強度補正テーブル指定信号」と称し、上記色補正テーブルＴＬを指定するための上記テーブル指定信号を単に「色補正テーブル指定信号」と称し、上記輝度テーブルＴＢを指定するための上記テーブル指定信号を単に「輝度テーブル指定信号」と称する。
【０１４７】
上記制御部２１の動作によりコントラスト補正判定部２２は、当該制御部２１からの上記コントラスト補正オン／オフ信号に基づき、上記画像のうち上記コントラストの補正の対象とする部分に相当する画像情報Ｓinの画素については、その画素値をコントラスト補正画素値更新部２５に出力する。一方、上記画像のうち上記コントラストの補正の対象とする部分以外の部分に相当する画像情報Ｓinの画素については、その画素値をそのまま色補正判定部２６に出力する。
【０１４８】
次に記録部２４は、制御部２１からの上記強度補正テーブル指定信号により指定されている強度補正テーブルＴＣに含まれる強度補正パラメータを、コントラスト補正画素値更新部２５に出力する。
【０１４９】
これらによりコントラスト補正画素値更新部２５は、コントラスト補正判定部２２から出力されてくる画像情報Ｓinに含まれている各画素における例えば赤色成分、青色成分及び緑色成分それぞれの画素値（より具体的には、例えば輝度値）を、記録部２４から出力された上記強度補正パラメータに対応した画素値に更新し、そのコントラストが当該強度補正パラメータに基づいて補正されたコントラスト補正画像情報Ｓccとして色補正判定部２６に出力する。このとき、上記画素値（又は輝度値）の上限値は階調数によって決定され、ディスプレイ２３がＲＧＢ色空間を用いた２４ビットの液晶ディスプレイであれば、その上限値は三色の色成分ごとに「２５５（２８−１）」である。またディスプレイ２３がＲＧＢ色空間を用いた１８ビットの液晶ディスプレイであれば、その上限値は三色の色成分ごとに「６３（２６−１）」である。また以下の説明において、上記赤色成分、青色成分及び緑色成分に共通の事項を説明する場合、単に「各色成分」と称する。
【０１５０】
次に上記強度補正テーブルＴＣについて、具体的に図２４を用いて説明する。上述したように制御部２１は、ディスプレイ２３に表示される画像のうち上記コントラストの補正の対象とする部分に相当する画像情報Ｓinの画素について、当該コントラストの補正に用いられる強度補正テーブルＴＣを指定する上記強度補正テーブル指定信号を記録部２４に出力する。このとき、第３実施形態に係る強度補正テーブルＴＣとしては、例えば、コントラストの補正強度「弱」に相当する第１強度補正テーブルＴＣ１と、当該補正強度「中」に相当する第２補正強度テーブルＴＣ２と、当該補正強度「強」に相当する第３強度補正テーブルと、が予め設定され、それぞれの補正強度テーブルＴＣに相当する強度補正パラメータが記録部２４に不揮発性に記録されている。この場合、上記ｎが「３」であることになる。そして、ディスプレイ２３がＲＧＢ色空間を用いた２４ビットの液晶ディスプレイであり、且つコントラストの補正をしない場合の各色における入力画素値と出力画素値との関係が図２４（ａ）に例示する関係であるとすると、補正強度「弱」に相当する上記第１補正強度テーブルＴＣ１としては、例えば図２４（ｂ）に例示するような態様（図２４（ａ）に例示する場合との相違は図２４（ｂ）中破線矢印参照）でコントラストを補正するための当該第１補正強度テーブルＴＣ１が記録されている。また同様に、補正強度「中」に相当する上記第２補正強度テーブルＴＣ２としては、例えば図２４（ｃ）に例示するような態様（図２４（ｂ）に例示する場合との相違は図２４（ｃ）中破線矢印参照）でコントラストを補正するための当該第２補正強度テーブルＴＣ２が記録されている。更に、補正強度「強」に相当する上記第３補正強度テーブルとしては、例えば図２４（ｄ）に例示するような態様（図２４（ｃ）に例示する場合との相違は図２４（ｄ）中破線矢印参照）でコントラストを補正するための第３補正強度テーブルが記録されている。なお、各補正強度テーブルＴＣに含まれる具体的な補正強度パラメータの値としては、例えば、年代別の分光視感効率を規定したＪＩＳ  Ｓ００３１規格に沿って設定するのが好ましい。
【０１５１】
一方上述したように制御部２１は、コントラストの補正については、年齢データＳageにより示される年齢等に基づき、その年齢等に対応した強度補正テーブルＴＣを指定するための上記補正強度テーブル指定信号を生成する。
【０１５２】
より具体的に、年齢データＳageにより示される年齢が予め設定された第１閾値年齢以下の「子供」に該当する年齢である場合、一般に子供の眼では画像の暗い部分及び明るい部分共に比較的見易いとされている。そこで制御部２１は、コントラストの補正自体をオフとする（即ち、オフ信号に相当する上記コントラスト補正オン／オフ信号を生成してコントラスト補正判定部２２に出力する）か、又は当該補正の強度を「弱」とするべく上記第１補正強度テーブルＴＣ１を指定するための補正強度テーブル指定信号を生成して記録部２４に出力する。
【０１５３】
一方、年齢データＳageにより示される年齢が上記第１閾値年齢より高く且つ予め設定された第２閾値年齢以下の「成人」に該当する年齢である場合、一般に成人の眼でも暗い部分及び明るい部分共に比較的見易いとされている。そこで制御部２１は、上記「子供」の場合と同様に、コントラストの補正自体をオフとするか、又は上記第１補正強度テーブルＴＣ１を指定するための補正強度テーブル指定信号を生成して記録部２４に出力する。なおこのとき、ディスプレイ２３自体の明るさ（ブライトネス）が強いと眼が疲れ易いと言われているため、制御部２１がコントラストの補正強度を上げるための補正強度テーブルＴＣを指定すると共に当該ブライトネスを下げるように制御することで、画像としての視認性を確保しつつ、眼の疲れを軽減するように構成してもよい。
【０１５４】
更に、年齢データＳageにより示される年齢が上記第２閾値年齢より高い「高齢者」の年齢である場合、一般に画像の暗い部分が見えづらいとされている。そこで制御部２１は、コントラストの補正の強度を「中」又は「強」とするべく上記第２補正強度テーブルＴＣ２又は上記第３補正強度テーブルを指定するための補正強度テーブル指定信号を生成して記録部２４に出力する。
【０１５５】
以上の制御部２１、コントラスト補正判定部２２、記録部２４及びコントラスト補正画素値更新部２５の動作により、年齢データＳageにより示される年齢に基づいてディスプレイ２３に表示される画像のコントラストの強度が適切に補正される。なお、上記第１閾値年齢及び上記第２閾値年齢それぞれの具体的な値は、例えば統計的或いは経験的な数値に基づいて予め設定されていればよい。
【０１５６】
次に、上記制御部２１の動作により色補正判定部２６は、当該制御部２１からの上記色補正オン／オフ信号に基づき、上記画像のうち上記色の補正の対象とする部分に相当する上記コントラスト補正画像情報Ｓccの画素については、その画素値を色補正画素値更新部２８に出力する。一方、上記画像のうち上記色の補正の対象とする部分以外の部分に相当する上記コントラスト補正画像情報Ｓccの画素については、その画素値をそのままブルーライト制御判定部３０に出力する。
【０１５７】
そして記録部２４は、制御部２１からの上記色補正テーブル指定信号により指定されている色補正テーブルＴＬに含まれる色補正パラメータを、色補正画素値更新部２８に出力する。
【０１５８】
これらにより色補正画素値更新部２８は、色補正判定部２６から出力されてくるコントラスト補正画像情報Ｓccに含まれている各画素における例えば各色成分それぞれの画素値を、記録部２４から出力された上記色補正パラメータに対応した画素値に更に更新し、その色が当該色補正パラメータに基づいて補正された色補正画像情報Ｓclとしてブルーライト制御判定部３０に出力する。
【０１５９】
次に上記色補正テーブルＴＬについて説明する。上述したように制御部２１は、ディスプレイ２３に表示される画像のうち上記色の補正の対象とする部分に相当するコントラスト補正画像情報Ｓccの画素について、当該色の補正に用いられる色補正テーブルＴＬを指定する上記色補正テーブル指定信号を記録部２４に出力する。このとき、第３実施形態に係る色補正テーブルＴＬとしては、例えば、高齢者において加齢による黄斑変性に伴って画像全体が黄色っぽく見えるようになっていわゆる寒色が見えづらくなっている場合に備え、いわゆる暖色の比率を上げる色補正を行うための色補正テーブルＴＬが予め設定され、それに相当する色補正パラメータが記録部２４に不揮発性に記録されている。この場合、上記ｍが「１」であることになる。なお、当該色補正テーブルＴＬに含まれる具体的な色補正パラメータの値としては、例えば、年齢を考慮した基本色領域に基づく組み合わせ方法を規定したＪＩＳ  Ｓ００３３規格、或いは「シニアコム  色に関するアンケート（例えばＵＲＬ「http://www.seniorcom.co.jp/pdf/120615_survey_iro.pdf」参照）」等の内容に沿って設定するのが好ましい。
【０１６０】
一方上述したように制御部２１は、色の補正については、年齢データＳageにより示される年齢等に基づき、その年齢等に対応した色補正テーブルＴＬを指定するための上記色補正テーブル指定信号を生成する。
【０１６１】
より具体的に、例えばディスプレイ２３の出荷時等において既定の測色器により測定された色の再現が正常である場合、年齢データＳageにより示される年齢が上記「子供」に該当する年齢であるとき及び上記「成人」に該当する年齢であるときには、一般に色の補正は不要であるとされている。そこで制御部２１は、色の補正自体をオフとする（即ち、オフ信号に相当する上記色補正オン／オフ信号を生成して色補正判定部２６に出力する）と共に、上記色補正テーブル指定信号は生成しない。
【０１６２】
これに対し、年齢データＳageにより示される年齢が上記「高齢者」に該当する年齢である場合、上記黄斑変性の可能性を考慮して制御部２１は、第３実施形態に係る色の補正を行うべく上記色補正テーブルＴＬを指定するための色補正テーブル指定信号を生成して記録部２４に出力する。
【０１６３】
以上の制御部２１、記録部２４、色補正判定部２６及び色補正画素値更新部２８の動作により、年齢データＳageにより示される年齢に基づいてディスプレイ２３に表示される画像の色が適切に補正される。
【０１６４】
次に、上記制御部２１の動作によりブルーライト制御判定部３０は、当該制御部２１からの上記ブルーライト制御オン／オフ信号に基づき、上記画像のうち上記ブルーライトの制御の対象とする部分に相当する上記色補正画像情報Ｓclの画素については、その画素値をブルーライト制御画素値更新部３１に出力する。一方、上記画像のうち上記ブルーライトの制御の対象とする部分以外の部分に相当する上記色補正画像情報Ｓclの画素については、その画素値をそのままディスプレイ２３に出力する。
【０１６５】
そして記録部２４は、制御部２１からの上記輝度テーブル指定信号により指定されている輝度テーブルＴＢに含まれる輝度制御パラメータを、ブルーライト制御画素値更新部３１に出力する。
【０１６６】
これらによりブルーライト制御画素値更新部３１は、ブルーライト制御判定部３０から出力されてくる色補正画像情報Ｓclに含まれている各画素における例えば各色成分それぞれの画素値を、記録部２４から出力された上記輝度制御パラメータに対応した画素値に更新し、対応するブルーライトの輝度が当該輝度制御パラメータに基づいて制御されたブルーライト制御画像情報Ｓbcとしてディスプレイ２３に出力する。
【０１６７】
次に、上記輝度テーブルＴＢについて、具体的に図２５を用いて説明する。上述したように制御部２１は、ディスプレイ２３に表示される画像のうち上記ブルーライトの制御の対象とする部分に相当する色補正画像情報Ｓclの画素について、当該ブルーライトの制御に用いられる輝度テーブルＴＢを指定する上記輝度テーブル指定信号を記録部２４に出力する。
【０１６８】
ここで第３実施形態に係るブルーライトの制御では、例えば、ディスプレイ２３に表示される画像における青色成分の画素値（輝度値）を他の色成分の画素値に対して相対的に小さくする方法や、ディスプレイ２３のバックライトの輝度自体を低減する方法等を用いて、当該画像におけるブルーライトの輝度を低減する。これに加えて第３実施形態に係るブルーライトの制御では、例えば図２５に示すように、一日のうちの時刻（図２５横軸参照）に応じてディスプレイ２３に表示される画像におけるブルーライトの低減率（図２５縦軸参照）を制御する。即ち、上記画像を視るユーザの活動時間帯が昼間である場合、当該ユーザが就寝する夜間よりも低減率を下げる（換言すれば、夜間に比べて昼間にブルーライトの輝度を増強する）。図２５に例示する低減率の制御パターンを用いてブルーライトを制御するのは、一般にブルーライトは人の時刻調整に作用するとも言われており、時刻に応じたそのオン／オフ又は低減率の変更（制御）を行うべきとされているからである。図２５に例示する制御パターンは、昼間はブルーライトがより必要となり、屋内における通常の生活だけでは足りない可能性も指摘されていることによる。そして、上述したようなブルーライトの制御に供される、第３実施形態に係る輝度テーブルＴＢとしては、図２５に例示する変化を有する時刻毎のブルーライトの低減率を示す輝度テーブルＴＢが、上記年齢等毎に複数予め設定され、それぞれの輝度テーブルＴＢに相当する輝度制御パラメータが記録部２４に不揮発性に記録されている。このとき、年齢毎の輝度テーブルＴＢとしては例えば、低減率が予め設定された第１低減率閾値以上である「低減率；大」の第１輝度テーブルＴＢ１と、低減率が上記第１低減率閾値未満で且つ予め設定された第２低減率閾値以上である「低減率；中」の第２輝度テーブルＴＢ２と、低減率が上記第２低減率閾値未満である「低減率；小」の第３輝度テーブルと、が、記録部２４に記録されている。この場合、上記ｐが「３」であることになる。このとき、「低減率；大」の第１輝度テーブルＴＢ１、「低減率；中」の第２輝度テーブルＴＢ２及び「低減率；小」の第３輝度テーブルそれぞれにおける時刻毎の低減率の変化は、例えば図２５に例示する変化に相当する変化となるように予め設定されている。なお、各輝度テーブルＴＢに含まれる具体的な輝度制御パラメータの値としては、例えば、黄斑変性の年齢別受療数（例えば、ＵＲＬ「http://homepage3.nifty.com/SAI-EYE-CLINIC/page/ohan/ohan.html」参照）」等の内容に沿って設定するのが好ましい。また、上記第１低減率閾値及び上記第２低減率閾値それぞれの具体的な値は、例えば統計的或いは経験的な数値に基づいて予め設定されていればよい。
【０１６９】
そして、上述したように制御部２１は、ブルーライトの制御については、年齢データＳageにより示される年齢等及び時刻データＳtにより示される現在時刻に基づき、その年齢等及び現在時刻に対応した輝度テーブルＴＢを指定するための上記輝度テーブル指定信号を生成する。
【０１７０】
より具体的に制御部２１は、年齢データＳageにより示される年齢が上記「子供」に該当する年齢である場合、一般に子供の眼は成長過程にあるため外光等の影響を受け易いとされており、成人の眼よりも感受性が強いとされている。また、加齢と共に小さくなるとされている眼の瞳孔も子供のうちは大きく、成人の眼よりも外光が眼の中に入り易い状態にあるとされており、これらのことは即ち、子供の眼は上記ブルーライトの透過率が高いことを示している。従ってこの場合に制御部２１は、上記「低減率；大」の第１輝度テーブルＴＢ１を指定する輝度テーブル指定信号を生成して記録部２４に出力する。
【０１７１】
一方、年齢データＳageにより示される年齢が上記「成人」に該当する年齢である場合では、例えばディスプレイ２３を長時間に渡って視続ける作業では、バックライトを構成する上記ＬＥＤが発するブルーライトが、いわゆる加齢黄斑変性症や睡眠障害（いわゆるサーカディアンリズムの乱れ）の原因となる可能性があるとされている。従ってこの場合に制御部２１は、上記「低減率；大」の第１輝度テーブルＴＢ１又は「低減率；中」の第２輝度テーブルＴＢ２を指定する輝度テーブル指定信号を生成して記録部２４に出力する。
【０１７２】
更に、年齢データＳageにより示される年齢が上記「高齢者」の年齢である場合、そのユーザが例えば加齢黄斑変性に罹っていることが上記年齢データＳage等により示されているのであれば、そもそも当該黄斑変性によりブルーライト自体がカットされてしまう。従ってこの場合に制御部２１は、上記「低減率；小」の第３輝度テーブルを指定する輝度テーブル指定信号を生成して記録部２４に出力する。なおこの場合に制御部２１は、当該輝度テーブル指定信号を出力せずに、第３実施形態に係るブルーライトの制御自体をオフとする旨の上記ブルーライト制御オン／オフ信号を生成して、ブルーライト制御判定部３０に出力してもよい。
【０１７３】
以上の制御部２１、ブルーライト制御判定部３０、記録部２４及びブルーライト制御画素値更新部３１の動作により、年齢データＳageにより示される年齢に基づいてディスプレイ２３に表示される画像におけるブルーライトが適切に制御される。
【０１７４】
なお、ブルーライトの輝度の低減については、上記ブルーライト制御判定部３０及びブルーライト制御画素値更新部３１等の動作による方法の他に、ディスプレイ２３のバックライトを構成するＬＥＤ自体の輝度（ブライトネス）を画像の部分的又は全体として低減することにより、当該ブルーライトの輝度を低減する構成としてもよい。この場合に制御部２１は、例えば図２５に例示する変化に沿って上記ＬＥＤの輝度を制御する。
【０１７５】
最後にディスプレイ２３は、ブルーライト制御判定部３０から出力されてきた色補正画像情報Ｓcl又はブルーライト制御画素値更新部３１から出力されてきたブルーライト制御画像情報Ｓbcのいずれか一方を表示情報Ｓoutとして受信し、当該表示情報Ｓoutに相当する画像を表示する。
【０１７６】
次に、第３実施形態に係る制御処理について、時系列的に纏めつつ図２６を用いて説明する。なお、図２６に示す当該制御処理は、例えば表示装置Ｄ３の電源スイッチがオンとされたタイミングから開始され、主として制御部２１を中心として実行される。
【０１７７】
図２６に示すように、第３実施形態に係る制御処理においては初めに、上記年齢データ取得部２７を介して上記年齢データＳageを取得し（ステップＳ１５）、更に上記時刻取得部２９を介して上記時刻データＳtを取得する（ステップＳ１６）。このとき、ステップＳ１６の時刻データＳtは例えば所定の時間間隔で定期的に実行するのが好ましいが、ステップＳ１５の年齢データＳageの取得は、例えば表示装置Ｄ３の上記電源スイッチがオンとされたタイミング毎に実行するのが好ましい。
【０１７８】
次に、画像生成部２０から上記画像情報Ｓinが入力されると、最初にコントラスト補正判定部２２に取り込まれる（ステップＳ１７）。そして制御部２１は、上述した基準に従って第３実施形態に係るコントラストの補正を実行するか否かを判定し、その判定結果に対応する上記コントラスト補正オン／オフ信号を生成して制御信号Ｓcとしてコントラスト補正判定部２２に出力する（ステップＳ１８）。ステップＳ１８の判定において第３実施形態に係るコントラストの補正を実行しない場合（ステップＳ１８；ＮＯ）、コントラスト補正判定部２２は画像情報Ｓinをそのまま色補正判定部２６に出力し、更に制御部２１は後述するステップＳ２１に移行する。一方ステップＳ１８の判定において第３実施形態に係るコントラストの補正を実行する場合（ステップＳ１８；ＹＥＳ）、コントラスト補正判定部２２は画像情報Ｓinをコントラスト補正画素値更新部２５に出力すると共に、制御部２１は、上述した基準に従って上記強度補正テーブル指定信号を生成し、制御信号Ｓcとして記録部２４に出力することで、その時点で必要とされている強度補正テーブルＴＣを指定する（ステップＳ１９）。
【０１７９】
そして記録部２４では、制御部２１からの上記強度補正テーブル指定信号により示されている強度補正テーブルＴＣの選定（換言すれば、コントラストの補正の強度の指定）が行われ、当該選定された強度補正テーブルＴＣに含まれる強度補正パラメータがコントラスト補正画素値更新部２５に出力される。
【０１８０】
これらによりコントラスト補正画素値更新部２５は、コントラスト補正判定部２２から出力されてくる画像情報Ｓinに含まれている各画素における各色成分それぞれの画素値を、記録部２４から出力された強度補正パラメータにより示される画素値に更新し（ステップＳ２０）、上記コントラスト補正画像情報Ｓccとして色補正判定部２６に出力する。
【０１８１】
次に制御部２１は、上述した基準に従って第３実施形態に係る色の補正を実行するか否かを判定し、その判定結果に対応する上記色補正オン／オフ信号を生成して制御信号Ｓcとして色補正判定部２６に出力する（ステップＳ２１）。ステップＳ２１の判定において第３実施形態に係る色の補正を実行しない場合（ステップＳ２１；ＮＯ）、色補正判定部２６はコントラスト補正画素値更新部２５から出力されてきた上記コントラスト補正画像情報Ｓccをそのままブルーライト制御判定部３０に出力し、更に制御部２１は後述するステップＳ２４に移行する。一方ステップＳ２１の判定において第３実施形態に係る色の補正を実行する場合（ステップＳ２１；ＹＥＳ）、色補正判定部２６はコントラスト補正画像情報Ｓccを色補正画素値更新部２８に出力すると共に、制御部２１は、上述した基準に従って上記色補正テーブル指定信号を生成し、制御信号Ｓcとして記録部２４に出力することで、その時点で必要とされている色補正テーブルＴＬを指定する（ステップＳ２２）。
【０１８２】
そして記録部２４では、制御部２１からの上記色補正テーブル指定信号により示されている色補正テーブルＴＬの選定（換言すれば、色の補正態様の指定）が行われ、当該選定された色補正テーブルＴＬに含まれる色補正パラメータが色補正画素値更新部２８に出力される。
【０１８３】
これらにより色補正画素値更新部２８は、色補正判定部２６から出力されてくるコントラスト補正画像情報Ｓccに含まれている各画素における各色成分それぞれの画素値を、記録部２４から出力された色補正パラメータにより示される画素値に更新し（ステップＳ２３）、上記色補正画像情報Ｓclとしてブルーライト制御判定部３０に出力する。
【０１８４】
次に制御部２１は、上述した基準に従って第３実施形態に係るブルーライトの制御を実行するか否かを判定し、その判定結果に対応する上記ブルーライト制御オン／オフ信号を生成して制御信号Ｓcとしてブルーライト制御判定部３０に出力する（ステップＳ２４）。ステップＳ２４の判定において第３実施形態に係るブルーライトの制御を実行しない場合（ステップＳ２４；ＮＯ）、ブルーライト制御判定部３０は色補正画素値更新部２８から出力されてきた上記色補正画像情報Ｓclをそのままディスプレイ２３に表示情報Ｓoutとして出力する（ステップＳ２７）。一方ステップＳ２４の判定において第３実施形態に係るブルーライトの制御を実行する場合（ステップＳ２４；ＹＥＳ）、ブルーライト制御判定部３０は色補正画像情報Ｓclをブルーライト制御画素値更新部３１に出力すると共に、制御部２１は、上述した基準に従って上記輝度テーブル指定信号を生成し、制御信号Ｓcとして記録部２４に出力することで、その時点で必要とされている輝度テーブルＴＢを指定する（ステップＳ２５）。
【０１８５】
そして記録部２４では、制御部２１からの上記輝度テーブル指定信号により示されている輝度テーブルＴＢの選定（換言すれば、ブルーライトの低減率の指定）が行われ、当該選定された輝度テーブルＴＢに含まれる輝度制御パラメータがブルーライト制御画素値更新部３１に出力される。
【０１８６】
これらによりブルーライト制御画素値更新部３１は、ブルーライト制御判定部３０から出力されてくる色補正画像情報Ｓclに含まれている各画素における各色成分それぞれの画素値を、記録部２４から出力された輝度制御パラメータにより示される画素値に更新し（ステップＳ２６）、上記ブルーライト制御画像情報Ｓbcとしてディスプレイ２３に表示情報Ｓoutとして出力する。
【０１８７】
そしてディスプレイ２３は、上記色補正画像情報Ｓcl又は上記ブルーライト制御画像情報Ｓbcのいずれか一方を表示情報Ｓoutとして受信し、当該表示情報Ｓoutに相当する画像を表示する（ステップＳ２７）。その後制御部２１は第３実施形態に係る制御処理を終了する。
【０１８８】
以上それぞれ説明したように、第３実施形態に係る制御処理によれば、画像情報Ｓinにおけるブルーライトの輝度を年齢データＳageに基づいて低減しつつ、当該年齢データＳageに基づいて画像情報Ｓinに相当する画像を表示する。よって、当該画像を視認するユーザの年齢に応じた見易い状態で、且つ当該ユーザの眼を保護しつつ、画像を表示することができる。
【０１８９】
また、第３実施形態に係る制御処理として、ブルーライトの制御、コントラストの補正、及び色の補正、のいずれかを画像情報Ｓinに対して実行して画像を表示するので、多面的な制御処理により、画像を視認するユーザの年齢に応じた見易い状態で、且つ当該ユーザの眼を効果的に保護しつつ、画像を表示することができる。
【０１９０】
更に、年齢データＳageにより示される年齢が「子供」に相当する年齢又は「成人」に相当する年齢である場合に、ブルーライトの輝度の低減率を大きくすると共に、コントラストの補正の強度を「弱」以下とするので、子供又は成人の眼を保護すると共に、見易いコントラストの状態で画像を表示することができる。
【０１９１】
更にまた、年齢データＳageにより示される年齢が「成年」に相当する年齢である場合において、ブルーライトの輝度の低減率を大きくすると共に、コントラストの補正強度を上げると共にディスプレイ２３の明るさ（ブライトネス）を下げるように制御すれば、画像としての視認性を確保しつつ、眼の疲れを軽減して画像を表示することができる。
【０１９２】
また、年齢データＳageにより示される年齢が「高齢者」に相当する年齢であり、且つ、そのユーザが例えば黄斑変性に罹っていることが示されている場合において、ブルーライトの輝度の低減率を小さくすると共に、コントラストの補正強度を「中」又は「強」とし、当該年齢に基づいて色を補正して画像を表示するので、高齢者において見易い状態で画像を表示することができる。
【０１９３】
更に、ブルーライトの制御を年齢データＳage及び時刻データＳtに基づいて実行しつつ（図２５参照）、当該年齢データＳage及び当該時刻データＳtに基づいて他の制御処理を実行する場合には、画像を視認するユーザの年齢に応じた見易い状態で、且つ当該ユーザの眼を保護し、更にその視覚を通じた体内リズム等に合致させて、画像を表示させることができる。
【０１９４】
更にまた、画像を視認するユーザの活動時間（例えば昼間）におけるブルーライトの輝度が、当該活動時間以外の時間における当該輝度に対して相対的に高くなるようにして表示用画像情報を生成する（図２５参照）場合には、画像を視認するユーザの活動時間とそれ以外の時間における体内リズム等に合致させて画像を表示させることができる。なおこのとき、そのユーザが例えば夜間勤務者である場合には、図２５に示す変化を図２５において上下逆とした変化により、第３実施形態に係るブルーライトの制御を実行するのが好適である。
【０１９５】
また、新たな年齢データＳageが取得された場合に、当該新たな年齢データＳageに基づいてブルーライトの制御を含むいずれかの処理を改めて実行して画像を表示するように構成すれば、新たな年齢データＳageが取得できた場合にも、画像を視認するユーザの年齢に応じた見易い状態で、且つ当該ユーザの眼を保護しつつ、適切に画像を表示させることができる。この場合に例えば、新たな年齢データＳageにより、「高齢者」に相当する年齢のユーザに対する白内障の手術が終了した旨のデータが取得できた場合、白内障が治療されるとブルーライトの透過率が高くなるため、たとえ「高齢者」に相当する年齢のユーザであっても低減率を「大」又は「中」としてブルーライトの制御を実行するのが好ましい。
【０１９６】
更に、第３実施形態のようにユーザの年齢で一括りとするのではなく、例えば図示しない入力部を用いてユーザが事後的に強度補正テーブルＴＣ、色補正テーブルＴＬ又は輝度テーブルＴＢそれぞれの内容に相当する各パラメータを入力する構成とすれば、画像を視認する当該ユーザの好み等に合わせて第３実施形態に係る制御処理を実行でき、当該ユーザに適合させて画像の表示態様を調整することができる。
【０１９７】
なお、上述した第３実施形態については、上述の他に、種々の態様が可能である。
【０１９８】
例えば上述した第３実施形態では、画像情報Ｓinに対するコントラストの補正（コントラスト補正判定部２２及びコントラスト補正画素値更新部２５による）→色の補正（色補正判定部２６及び色補正画素値更新部２８による）→ブルーライトの制御（ブルーライト制御判定部３０及びブルーライト制御画素値更新部３１による）の順で実行することとした。しかしながらこれ以外に、コントラストの補正、色の補正及びブルーライトの制御の順序をどのように変更してもよいし、或いは、コントラストの補正、色の補正及びブルーライトの制御を画像情報Ｓinに対して同時並行的に実行し、それぞれの実行結果を最後に重畳して表示情報Ｓoutとしてディスプレイ２３に出力するように構成することもできる。
【０１９９】
また例えば、第３実施形態に係るブルーライトの制御を、日単位（図２５参照）ではなく、月単位、或いは季節単位で実行するように構成することも可能である。この場合の輝度テーブルＴＢとしては、月毎、又は季節毎の輝度テーブルが記録部２４に記録されて用いられることになる。
【０２００】
更に例えば、時刻データＳtを用いず、予め設定された低減率で例えば一律にブルーライトの制御を行うように構成してもよい。
【０２０１】
更にまた上述した第３実施形態において、画像内の範囲を指定して第３実施形態に係る制御処理の対象とする／しないを制御するように構成することもできる。
【０２０２】
また第３実施形態に係る制御処理は、上述したＲＧＢ色空間以外にも、例えば上記ＨＬＳ色空間、ＨＳＶ色空間、又は輝度（Ｙ）を含むYCbCr色空間等に対しても同様に適用可能である。
【０２０３】
更にまた、図１０、図２２又は図２６にそれぞれ示すフローチャートに対応するプログラムを光ディスク等の記録媒体に記録しておき、或いはインターネット等のネットワークを介して取得して記録しておき、これらを例えば汎用のマイクロコンピュータ等により読み出して実行することにより、当該マイクロコンピュータ等を、各実施形態に係る制御部２又は制御部２１、切換制御部３、コントラスト補正判定部２２、コントラスト補正画素値更新部２５、色補正判定部２６、年齢データ取得部２７、色補正画素値更新部２８、ブルーライト制御判定部３０、ブルーライト制御画素値更新部３１及び画素値更新部６並びに切換部７として機能させることも可能である。
【産業上の利用可能性】
【０２０４】
以上それぞれ説明したように、本発明は表示装置の分野に利用することが可能であり、特にユーザの体内リズム等の維持／調整を目的とした表示装置の制御の分野に適用すれば特に顕著な効果が得られる。
【符号の説明】
【０２０５】
１、２０    画像生成部
２、２１    制御部
３    切換制御部
４、２３    ディスプレイ
５、２４    記録部
６、６０    画素値更新部
７    切換部
８    位置検出部
９    入力部
１０、２９    時刻取得部
２２    コントラスト補正判定部
２５    コントラスト補正画素値更新部
２６    色補正判定部
２７    年齢データ取得部
２８    色補正画素値更新部
３０    ブルーライト制御判定部
３１    ブルーライト制御画素値更新部
６１、６２    色空間変換部
Ｄ１、Ｄ２、Ｄ３    表示装置
Ｔ１    第１制御率テーブル
Ｔ２    第２制御率テーブル
Ｔ３    第３制御率テーブル
Ｔｎ    第ｎ制御率テーブル
ＴＣ１    第１強度補正テーブル
ＴＣ２    第２強度補正テーブル
ＴＣｎ    第ｎ強度補正テーブル
ＴＬ１    第１色補正テーブル
ＴＬ２    第２色補正テーブル
ＴＬｍ    第ｍ色補正テーブル
ＴＢ１    第１輝度テーブル
ＴＢ２    第２輝度テーブル
ＴＢｐ    第ｐ輝度テーブル
Ｓc    制御信号
Ｓt    時刻データ
Ｓin    画像情報
Ｓop    操作信号
Ｓbc    更新画像情報
Ｓout    表示情報
Ｓpos    位置データ
Ｓage    年齢データ
Ｓcc    コントラスト補正画像情報
Ｓcl    色補正画像情報
Ｓbc    ブルーライト制御画像情報
【図１】
2016040601.tif 000003
【図８】
2016040601.tif 000004
【図９】
2016040601.tif 000005
【図１０】
2016040601.tif 000006
【図１６】
2016040601.tif 000007
【図１７】
2016040601.tif 000008
【図１８】
2016040601.tif 000009
【図１９】
2016040601.tif 000010
【図２０】
2016040601.tif 000011
【図２１】
2016040601.tif 000012
【図２２】
2016040601.tif 000013
【図２３】
2016040601.tif 000014
【図２４】
2016040601.tif 000015
【図２５】
2016040601.tif 000016
【図２６】
2016040601.tif 000017
【図２】
2016040601.tif 000018
【図３】
2016040601.tif 000019
【図４】
2016040601.tif 000020
【図５】
2016040601.tif 000021
【図６】
2016040601.tif 000022
【図７】
2016040601.tif 000023
【図１１】
2016040601.tif 000024
【図１２】
2016040601.tif 000025
【図１３】
2016040601.tif 000026
【図１４】
2016040601.tif 000027
【図１５】
2016040601.tif 000028